(57)【要約】  装置ボデイに結合された細長い形の複数のブリスル（ｂｒｉｓｔｌｅｓ）を有し、ユーザーの口内へ少なくとも部分的に嵌合する様な寸法と形状の口用光線療法アップリケーター（Ｏｒａｌ  ｐｈｏｔｏｔｈｅｒａｐｙ  ａｐｐｌｉｃａｔｏｒ）が開示される。該アップリケーターは該ユーザーの歯をブラシするよう適合され、更に該ブリスルと接触する組織より他の口腔の部分へ光線療法の放射を提供するため該ボデイに結合された少なくとも１つの放射エミッター（ｒａｄｉａｔｉｏｎ  ｅｍｉｔｔｅｒ）を有する。１実施例では、該アップリケーターは例えば、流体ポンプの様な熱伝達要素を有する。
2008522762.tif 000002
【特許請求の範囲】
【請求項１】
歯ブラシに於いて、該歯ブラシが
複数のブリスルと、１つの放射ソースと、を備えるヘッド部分と、
冷却剤を該ヘッド部分へ推進するポンプを備えるボデイ部分と、そして
該ポンプと該ヘッド部分との間の冷却剤通路と、を具備しており、
該放射ソースにより発生された廃棄熱が、該歯ブラシを通るよう進む冷却剤により、該ヘッド部分から除去され得ることを特徴とする該歯ブラシ。
【請求項２】
該歯ブラシが閉ループ冷却システムを具備し、該冷却剤通路が戻り冷却剤通路を備えることを特徴とする請求項１の該歯ブラシ。
【請求項３】
該歯ブラシが冷却剤リザーバーと熱的に接触する冷却用キャパシターを具備することを特徴とする請求項１の該歯ブラシ。
【請求項４】
該冷却剤通路が該冷却剤リザーバーまで延びることを特徴とする請求項３の該歯ブラシ。
【請求項５】
更に冷却剤を具備することを特徴とする請求項１の該歯ブラシ。
【請求項６】
該冷却剤が相転移材料であることを特徴とする請求項５の該歯ブラシ。
【請求項７】
該冷却剤が治療用ペーストであることを特徴とする請求項５の該歯ブラシ。
【請求項８】
該冷却剤がフッ化物であることを特徴とする請求項５の該歯ブラシ。
【請求項９】
該歯ブラシが、該ポンプが動作している時振動するよう適合させられていることを特徴とする請求項１の該歯ブラシ。
【請求項１０】
該歯ブラシが開ループ冷却システムを具備し、該ヘッド部分が該冷却剤通路と流体的に連通するオリフイスを備えることを特徴とする請求項１の該歯ブラシ。
【請求項１１】
該冷却剤通路が該ボデイ部分の外部の冷却剤ソースから延びることを特徴とする請求項１０の該歯ブラシ。
【請求項１２】
該ポンプがスクリューポンプであることを特徴とする請求項１の該歯ブラシ。
【請求項１３】
該ヘッド部分が取り外し可能であり、置換可能であることを特徴とする請求項１の該歯ブラシ。
【請求項１４】
更に、該流体通路の部分を規定する内部ルーメンを備えるシャフトを具備することを特徴とする請求項１の該歯ブラシ。
【請求項１５】
口用光線療法アップリケーターに於いて、該アップリケーターが
ユーザーの口内に少なくとも部分的に嵌合する様な寸法と形状のボデイと、
該ボデイに結合され、少なくとも１つの望まれるスペクトルバンド内の光線療法の放射で口腔の部分を照射するよう適合された少なくとも１つの放射エミッターと、
冷却剤を推進するポンプと、そして
該ポンプと、該少なくとも１つの放射エミッターに熱的に接触する該ボデイの部分と、の間の冷却剤通路と、を具備することをことを特徴とする該アップリケーター。
【請求項１６】
該装置が更に光線療法時、該口腔の部分に接触するのに好適な複数のブリスルを具備することを特徴とする請求項１５の該装置。
【請求項１７】
該ブリスルが少なくとも１つの波長範囲内の光線療法の放射に実質的に透明であり、そして、オプションで、更に該放射を拡散させる散乱用薬剤を具備することを特徴とする請求項１６の該装置。
【請求項１８】
更に冷却剤を具備することを特徴とする請求項１５の該装置。
【請求項１９】
更にヒートセンサーと通信する自動シャットオフ回路を具備することを特徴とする請求項１５の該装置。
【請求項２０】
該ボデイが柔軟であることを特徴とする請求項１５の該装置。
【請求項２１】
光放射する口用器具を操作する方法に於いて、該方法が、
放射ソースと、冷却剤を推進するポンプと、を有する光放射する口用器具で対象の口腔の少なくとも１部分を照射する過程と、そして
該デバイスを通るよう流体を駆動する該ポンプを賦活することにより該放射ソースから離れるよう熱を輸送する過程と、を具備することを特徴とする該方法。
【請求項２２】
該口用器具が複数のブリスルを有することを特徴とする請求項２１の該方法。
【請求項２３】
更に、該放射ソースから冷却用キャパシターへ熱を輸送する過程を具備することを特徴とする請求項２１の該方法。
【請求項２４】
更に、該流体を追い出す過程を具備することを特徴とする請求項２１の該方法。
【請求項２５】
該流体を閉ループで循環させる過程を具備することを特徴とする請求項２１の方法。
【発明の詳細な説明】
【関連出願の相互参照】
【０００１】
本出願は２００４年１２月９日に出願され、その全体が引用によりここに組み入れられる、“光放射口用器具と使用法（Ｌｉｇｈｔ  Ｅｍｉｔｔｉｎｇ  Ｏｒａｌ  Ａｐｐｌｉａｎｃｅ  ａｎｄ  Ｍｅｔｈｏｄ  ｏｆ  Ｕｓｅ）”の名称の、米国特許仮出願第６０／６３４，６４３号（特許文献１）の優先権を請求するものである。
【技術分野】
【０００２】
本発明は一般的に、歯科を含む口の疾病を治療する方法及び治療機器に関し、特にこれを放射及び温熱を用いて行う方法及び機器に関する。
【背景技術】
【０００３】
口腔（ｏｒａｌ  ｃａｖｉｔｙ）内では広範囲のバクテリア（ｂａｃｔｅｒｉａ）及び他の微生物（ｍｉｃｒｏｏｒｇａｎｉｓｍｓ）が見出される。微生物の存在は不健康な状態を示してはいないが、もし注意しないなら、これらの微生物は口の病気や美容的劣化（ｃｏｓｍｅｔｉｃ  ｄｅｇｒａｄａｔｉｏｎ）を含む種々の望ましくない結果を引き起こすであろう。歯の変色（ｔｏｏｔｈ  ｄｉｓｃｏｌｏｒａｔｉｏｎ）、カリエス形成（ｃａｒｉｅｓ  ｆｏｒｍａｔｉｏｎ）、歯周炎（ｐｅｒｉｏｄｏｎｔｉｔｉｓ）及び歯欠損（ｔｏｏｔｈ  ｌｏｓｓ）は全て起こり得る結果である。
【０００４】
口のバクテリアはプラーク（ｐｌａｑｕｅ）、すなわちバクテリアの接着性無色膜を歯及び他の組織の表面に創り、これらのプラーク形成バクテリアは毒素（ｔｏｘｉｎｓ）を創る。時間が経つと、該プラークは他の材料と組合わさり始め、粗く、多孔性の堆積物、カルクラス（ｃａｌｃｕｌｕｓ）となるよう硬化する。つまりの結果は歯肉膨らみ（ｇｕｍ  ｓｗｅｌｌｉｎｇ）、出血（ｂｌｅｅｄｉｎｇ）、そして該歯肉の繊維状の拡大を徴候とする歯肉痛（ｇｉｎｇｉｖａｌ  ｉｒｒｉｔａｔｉｏｎ）｛歯肉炎（ｇｉｎｇｉｖｉｔｉｓ）｝となる。加えて、プラーク及びカルクラスの成長は該歯肉を該歯から離れるよう移動させ、該歯と歯肉の間に、バクテリアがはびこるポケットをもたらす。又該バクテリアの毒素は歯肉組織を壊し、骨の欠損（ｂｏｎｅ  ｌｏｓｓ）にさえ導く。
【０００５】
かくして、歯周炎歯肉疾病と早期のカリエスの予防と治療は該口腔の全領域内の有効なバクテリア殺菌と成長抑制を要する。特に、歯肉組織と歯根面（ｔｏｏｔｈ  ｒｏｏｔ  ｓｕｒｆａｃｅ）の結合部（ｊｕｎｃｔｉｏｎ）内及びエナメル面下、のバクテリア殺菌は重要であるのみならず、従来の手段を使っては困難でもある。
【０００６】
歯周病（ｐｅｒｉｏｄｏｎｔａｌ  ｄｉｓｅａｓｅ）予防用の、市場で入手可能な、歯ブラシ（ｔｏｏｔｈｂｒｕｓｈｅｓ）、歯磨きペースト（ｔｏｏｔｈｐａｓｔｅｓ）、口洗浄溶液（ｍｏｕｔｈ  ｒｉｎｓｉｎｇ  ｓｏｌｕｔｉｏｎｓ）及び／又は化学的殺菌剤（ｃｈｅｍｉｃａｌ  ａｎｔｉｂａｃｔｅｒｉａｌ  ａｇｅｎｔｓ）を含む灌注器（ｉｒｒｉｇａｔｏｒｓ）の適用は部分的にしか成功していない。加えて、一旦組織損傷（ｔｉｓｓｕｅ  ｄａｍａｇｅ）がスタートすると、従来の治療（ｔｒｅａｔｍｅｎｔｓ）は結果を逆転させるには有効でない。
【０００７】
加えて、該口腔は、舌疾患、唾液腺（ｓａｌｉｖａｒｙ  ｇｌａｎｄｓ）及び小さな舌下管（ｓｍａｌｌ  ｓｕｂｌｉｎｇｕａｌ  ｄｕｃｔｓ）の炎症（ｉｎｆｌａｍｍａｔｉｏｎ）、神経破壊（ｄａｍａｇｅｄ  ｎｅｒｖｅｓ）、口痛（ｏｒａｌ  ｐａｉｎ）、咽喉炎（ｓｏｒｅ  ｔｈｒｏａｔ）／扁桃炎（ｔｏｎｓｉｌｌｉｔｉｓ）、歯過敏症（ｔｏｏｔｈ  ｈｙｐｅｒｓｅｎｓｉｔｉｖｉｔｙ）、そして歯変色を含む、バクテリア成長の
直接的結果である又はそうでない、種々の他の状態のホストとなる（ｈｏｓｔ）。これらの状態他は新規の口の治療養生法（ｎｏｖｅｌ  ｏｒａｌ  ｔｒｅａｔｍｅｎｔ  ｒｅｇｉｍｅｎ）から利するであろう。
【０００８】
かくして、微生物を有効に殺菌及び／又は抑制し、バクテリアの破壊効果を逆転することを助け、そして／又は口腔の中、その近く又はそれに関係する状態用の治療を提供する改良された口治療のニーヅが当該技術にある。
【特許文献１】米国特許仮出願公開第６０／６３４，６４３号明細書、Ｌｉｇｈｔ  Ｅｍｉｔｔｉｎｇ  Ｏｒａｌ  Ａｐｐｌｉａｎｃｅ  ａｎｄ  Ｍｅｔｈｏｄ  ｏｆ  Ｕｓｅ、２００４年１２月９日出願
【発明の開示】
【０００９】
本発明は光放射式口用アップリケーター（ｌｉｇｈｔ  ｅｍｉｔｔｉｎｇ  ｏｒａｌ  ａｐｐｌｉｃａｔｏｒｓ）を用いた口腔（ｏｒａｌ  ｃａｖｉｔｙ）の中の、それを通した又はその回りの、組織（ｔｉｓｓｕｅ）を治療するための方法と装置を提供する。１側面では、該装置は、ユーザーの口腔内に少なくとも部分的に嵌合するよう寸法取りされ形作られたボデイを有し、光線療法の放射で該口腔の部分を照射（ｉｒｒａｄｉａｔｉｎｇ）する少なくとも１つの放射放出要素（ｒａｄｉａｔｉｏｎ  ｅｍｉｔｔｉｎｇ  ｅｌｅｍｅｎｔ）を有する口用光線療法アップリケーター（ｏｒａｌ  ｐｈｏｔｏｔｈｅｒａｐｙ  ａｐｐｌｉｃａｔｏｒ）を具備する。該アップリケーターは更に、該放射放出要素から該デバイスのもう１つの部分及び／又は外部環境（ｅｘｔｅｒｎａｌ  ｅｎｖｉｒｏｎｍｅｎｔ）までの熱の伝達用の熱伝達用要素（ｈｅａｔ  ｔｒａｎｓｆｅｒ  ｅｌｅｍｅｎｔ）を有する。
【００１０】
１実施例では、該口用アップリケーターは流体通路（ｆｌｕｉｄ  ｐａｔｈｗａｙ）に沿って冷却用流体（ｃｏｏｌｉｎｇ  ｆｌｕｉｄ）を動かす流体ポンプ（ｆｌｕｉｄ  ｐｕｍｐ）を有する。例えば、該流体通路は流体リザーバー（ｆｌｕｉｄ  ｒｅｓｅｒｖｏｉｒ）から放射放出要素に隣接する該デバイスの部分まで延びる。
【００１１】
例えば、該口用器具（ｏｒａｌ  ａｐｐｌｉａｎｃｅ）は複数のブリスル（ｂｒｉｓｔｌｅｓ）と放射ソース（ｒａｄｉａｔｉｏｎ  ｓｏｕｒｃｅ）とを有するヘッド部分（ｈｅａｄ  ｐｏｒｔｉｏｎ）と冷却剤（ｃｏｏｌａｎｔ）を該ヘッド部分へ推進するポンプを有するボデイ部分（ｂｏｄｙ  ｐｏｒｔｉｏｎ）とを備える歯ブラシであってもよい。該歯ブラシは更に該ポンプと該ヘッド部分の間の冷却剤通路（ｃｏｏｌａｎｔ  ｐａｔｈｗａｙ）を有する。該ポンプの賦活（ａｃｔｉｖａｔｉｏｎ）は該流体通路に沿って流体を動かし、該放射ソースにより発生される廃棄熱（ｗａｓｔｅ  ｈｅａｔ）を除去する。
【００１２】
１側面では、該流体通路は閉ループ冷却システム（ｃｌｏｓｅｄ  ｌｏｏｐ  ｃｏｏｌｉｎｇ  ｓｙｓｔｅｍ）であり、該冷却剤通路は戻り冷却剤通路（ｒｅｔｕｒｎ  ｃｏｏｌａｎｔ  ｐａｔｈｗａｙ）を有する。該閉流体通路は該放射ソースから、該冷却剤通路に熱的に接触する冷却用キャパシター（ｃｏｏｌｉｎｇ  ｃａｐａｃｉｔｏｒ）まで熱を動かす。１側面では、該冷却用キャパシターは相転移材料（ｐｈａｓｅ  ｃｈａｎｇｅ  ｍａｔｅｒｉａｌ）を含んでもよい。
【００１３】
もう１つの側面では、該歯ブラシは、該デバイスの外部のソースから流体を受け、熱を吸収後流体を追い出す開いた流体通路を有する。該流体は、例えば、歯磨きペースト（ｔｏｏｔｈｐａｓｔｅ  ｐａｓｔｅ）の様な治療材料（ｔｈｒａｐｅｕｔｉｃ  ｍａｔｅｒｉａｌ）であってもよい。
【００１４】
ここで開示されるもう１つの実施例では、口用光線療法アップリケーターが提供される
。該アップリケーターは、ユーザーの口内に少なくとも部分的に嵌合する寸法取りされ、形作られたボデイと、該ボデイに結合され、少なくとも１つの望ましいスペクトルバンド内の光線療法用放射（ｐｈｏｔｏｔｈｅｒａｐｅｕｔｉｃ  ｒａｄｉａｔｉｏｎ）で口腔の部分を照射するよう適合された、少なくとも１つの放射エミッター（ｒａｄｉａｔｉｏｎ  ｅｍｉｔｔｅｒ）と、を有する。該アップリケーターは更に、冷却剤を推進するポンプと、該ポンプと、該少なくとも１つの放射エミッターと熱的に接触する該本体の部分と、の間の冷却剤通路と、を有する。
【００１５】
１側面では、該アップリケーターは光線療法時該口腔の部分に接触するのに好適な複数のブリスルを有する。例えば、該ブリスルは少なくとも１つの波長範囲内の光線療法の放射に実質的に透明でありそして、オプションでは、更に該放射を拡散（ｄｉｆｆｕｓｅ）させる散乱剤（ｓｃａｔｔｅｒｉｎｇ  ａｇｅｎｔ）が具備される。なおもう１つの側面では、該アップリケーターは、過熱条件（ｏｖｅｒｈｅａｔ  ｃｏｎｄｉｔｉｏｎ）が検出されると、放射エミッターをオフに切り替えるよう適合された、ヒートセンサー（ｈｅａｔ  ｓｅｎｓｏｒ）と通信する自動シャットオフ回路（ａｕｔｏ−ｓｈｕｔｏｆｆ  ｃｉｒｃｕｉｔ）を有する。
【００１６】
本発明の更に進んだ理解は、付随する図面と連携し、下記で簡潔に説明される、下記の詳細説明を参照することにより得られる。
【実施例１】
【００１７】
本発明は一般的に、口腔（ｏｒａｌ  ｃａｖｉｔｙ）の、中の、それを通る及び／又はそれに関連する、状態（ｃｏｎｄｉｔｉｏｎｓ）を治療（ｔｒｅａｔ）するために、ユーザーの口腔を照射（ｉｒｒａｄｉａｔｉｎｇ）するため使われる光放射口用器具（ｌｉｇｈｔ  ｅｍｉｔｔｉｎｇ  ｏｒａｌ  ａｐｐｌｉａｎｃｅｓ）に関する。本発明の口用器具（ｏｒａｌ  ａｐｐｌｉａｎｃｅｓ）は、例えば、光放射歯ブラシ（ｌｉｇｈｔ  ｅｍｉｔｔｉｎｇ  ｔｏｏｔｈｂｒｕｓｈ）、光放射マウスピース（ｌｉｇｈｔ  ｅｍｉｔｔｉｎｇ  ｍｏｕｔｈｐｉｅｃｅ）、又は口腔内挿入に好適な種々の他の種類の光放射プローブ（ｌｉｇｈｔ  ｅｍｉｔｔｉｎｇ  ｐｒｏｂｅｓ）を有する。
【００１８】
図１、２Ａ及び２Ｂを参照すると、本発明の開示の光放射歯ブラシ｛エルイーテービー（ＬＥＴＢ）｝の１実施例はブリスル（ｂｒｉｓｔｌｅｓ）１４を有するヘッド部分（ｈｅａｄ  ｐｏｒｔｉｏｎ）｛ブラシヘッド（ｂｒｕｓｈ  ｈｅａｄ）｝１２又は光学的エネルギーの他の配送システム（ｄｅｌｉｖｅｒｙ  ｓｙｓｔｅｍ）と、ハンドル部分（ｈａｎｄｌｅ  ｐｏｒｔｉｏｎ）１６を備える。該ヘッド部分は好ましくは少なくとも１つの光学的放射ソース（ｏｐｔｉｃａｌ  ｒａｄｉａｔｉｏｎ  ｓｏｕｒｃｅ）１８を有するのがよく、高反射性面（ｈｉｇｈｌｙ  ｒｅｆｌｅｃｔｉｖｅ  ｓｕｒｆａｃｅ）２０及びセンサー２２の様な他の特徴をオプションとして有する。該光学的放射ソースは又該ハンドル部分に設置されることも出来る。
【００１９】
或る実施例では、該ヘッド部分１２とハンドル部分１６はオプションでは１つのユニットとして形成されるが、他の実施例では、該ハンドル部分と該ボデイ部分は、クリーニングと交換を可能にするため、取り外し可能で、置換可能に、相互に嵌合（ｍａｔｅｄ）される。ハンドル部分１６はバッテリーの様な電源（ｅｌｅｃｔｒｉｃａｌ  ｐｏｗｅｒ  ｓｕｐｐｌｙ）３２，及び制御スイッチ（ｃｏｎｔｒｏｌ  ｓｗｉｔｃｈ）３４そしてオプションで制御電子機器（ｃｏｎｔｒｏｌ  ｅｌｅｃｔｒｏｎｉｃｓ）を有してもよい。図２Ｂはフレーム３８を有するヘッド部分１２の詳細図を示すが、該フレームは内部部品（ｉｎｔｅｒｎａｌ  ｃｏｍｐｏｎｅｎｔｓ）を保護（ｐｒｏｔｅｃｔ）し、そして光源１８から外部環境（ｅｘｔｅｒｎａｌ  ｅｎｖｉｒｏｎｍｅｎｔｓ）への熱伝達（ｈｅａｔ  ｔｒａｎｓｆｅｒ）を提供するために、オプション的に、金属、セラミック、サフア
イア（ｓａｐｐｈｉｒｅ）、カーボンフアイバーを有するプラスチックの様な高熱伝導性複合材料、の様な熱伝導材料で形成されることが出来る。又ヘッド部分１２はブリスル１４と、電源３２から光学的放射ソース１８まで電力を供給するためのリード３９を有する。
【００２０】
下記でより詳細に論じる様に、該放射ソース１８は、単一バンド幅か又は多数の個別バンド幅か何れかで放射を発生する単一ソースとすることが出来る。代わりに、該放射ソース１８は同様の又は異なるバンド幅内の放射を発生する複数の光ソース、例えば、発光ダイオード（ｌｉｇｈｔ  ｅｍｍｉｔｉｎｇ  ｄｉｏｄｅｓ）（ＬＥＤ）のマトリックス又は配列（ａｒｒａｙ）を有することが出来る。該放射ソースはマルチカラー（ｍｕｌｔｉｃｏｌｏｒ）ＬＥＤの様な多数バンド光ソース（ｍｕｌｔｉ−ｂａｎｄ  ｌｉｇｈｔ  ｓｏｕｒｃｅ）とすることも出来る。或る実施例では、該放射ソースは、ランプの様な広帯域（ｂｒｏａｄｂｎａｄ）のソースとすることも出来て、オプションでは１つ以上の望ましいバンド幅内の放射を選択するための１つ以上のフイルターと結合することが出来る。
【００２１】
図３は光学的放射ソース１８を有するボデイ部分２６を備える光放射マウスピース｛エルイーエムピー（ＬＥＭＰ）｝２４を図解する。示される様に、ボデイ部分２６はユーザーの口腔内に少なくとも部分的に嵌合するように寸法取りされ、形作られる。加えて、該ボデイはユーザーの口腔の少なくとも一部分に適合するよう形作られた表面を有する。１実施例では、該光放射マウスピースは、切歯（ｉｎｃｉｓｏｒｓ）、双頭歯（ｂｉｃｕｓｐｉｄｓ）、及び／又は臼歯（ｍｏｌａｒｓ）を含む歯２８に対し位置付けるために形作られた表面を有し得る。又該表面は歯と口腔壁との間の口腔の部分に嵌合（ｆｉｔ）するよう形成され得る。該表面が適合され得る他のボデイ部分はユーザーの舌、ユーザーの口蓋（ｒｏｏｆ  ｏｆ  ａ  ｕｓｅｒ’ｓ  ｍｏｕｔｈ）｛硬及び／又は軟口蓋（ｈａｒｄ
ａｎｄ／ｏｒ  ｓｏｆｔ  ｐａｌａｔｅ）｝及び／又は口腔床（ｆｌｏｏｒ  ｏｆ  ｔｈｅ  ｏｒａｌ  ｃａｖｉｔｙ）（例えば、ユーザーの舌の下）を含む。
【００２２】
マウスピース２４は、好ましくはユーザーが該マウスピースを把握することを可能にするハンドル３０を有するのがよく、そしてバッテリーの様な電源と制御スイッチとを有することが出来る。１実施例では、又該ハンドルは物質（ｓｕｂｓｔａｎｃｅｓ）を送る又は該口腔から取り除くための通路３１を有する。例えば、通路３１は空気の入り口及び／出口（ｅｇｒｅｓｓ）、治療剤（ｔｒｅａｔｍｅｎｔ  ａｇｅｎｔｓ）及び／又は薬（ｄｒｕｇｓ）の配送、そして水の排出（ｅｖａｃｕａｔｉｏｎ）を提供出来る。
【００２３】
図４は、一般的に“Ｕ”型のボデイ部分を規定する２つの実質的に平行なプロング（ｐｒｏｎｇｓ）２７を有する光放射マウスピース２４のもう１つの実施例を示す。各プロングは好ましくは少なくとも１つの光学的放射ソース１８，そして好ましくは、該ボデイがユーザーの口腔内に位置付けられた時、頬（ｃｈｅｅｋ）及び顔面組織（ｆａｃｉａｌ  ｔｉｓｓｕｅ）を照射するよう位置付けられた、多数の光学的放射ソースを有するのがよい。又、例えば、運動用マウスガード（ａｔｈｌｅｔｉｃ  ｍｏｕｔｈｇｕａｒｄ）と同様な仕方でユーザーの歯の両側を囲むマウスピースを有する種々の他の形状が有用である。光学的放射ソースは、歯と歯肉に光線療法の放射を提供するためこの様なマウスピースの内部に配置されるか、又は頬又は顔面組織に光線療法を提供するために外部に向かって配置されてもよい。
【００２４】
本発明の光放射口用器具内に配置される光学的放射ソースは、約１−５０、０００ｍＷ／ｃｍ２の範囲の電力密度と１ｍＷ−１０Ｗの合計電力を有し、約２８０ｎｍ−１００、０００ｎｍの範囲で電磁放射を送ることが出来る種々の放射ソースを有するのが好ましい。１つの好ましい放射ソースは１から２０の種々の波長で放射するＬＥＤ又はＬＥＤマトリックスイラディエーター（ＬＥＤ−ｍａｔｒｉｘ  ｉｒｒａｄｉａｔｏｒ）である。口
用器具のための放射ソースは好ましくはコンパクトで、効果的で、低コストであり、必要な波長と電力を提供するのがよい。好ましい実施例では、この様な放射ソースの出力スペクトラム（ｏｕｔｐｕｔ  ｓｐｅｃｔｒｕｍ）は約２８０−１２、０００ｎｍの範囲にあり約１０ｍＷから１Ｗの範囲の電力を有すべきである。この出願を通して、用語“光”及び“放射”は、例えば、約２８０ｎｍから約１００、０００ｎｍの範囲の様に、光線療法で有用な全スペクトル範囲の光学的放射を含むよう互換的に使われ、可視スペクトルに限定されない。該放射ソースの寸法は好ましくは口用器具内にパッケージするのに充分な程小さくあるべきで、少なくとも１−１５分の間バッテリーにより電力を与えられるよう充分効率的であるべきである。
【００２５】
１実施例では、光放射ソースは、発光ダイオード（ＬＥＤ）と、エッジ放射（ｅｄｇｅ
ｅｍｉｔｔｉｎｇ）ＬＥＤ｛イーイーエルイーデー（ＥＥＬＥＤ）｝、面放射（ｓｕｒｆａｃｅ  ｅｍｉｔｔｉｎｇ）ＬＥＤ｛エスイーエルイーデー（ＳＥＬＥＤ）｝、又は高輝度（ｈｉｇｈ  ｂｒｉｇｈｔｎｅｓｓ）ＬＥＤ｛エイチビーエルイーデー（ＨＢＬＥＤ）｝の様なＬＥＤ変型品（ｖａｒｉａｔｉｏｎｓ）を含む、固体ライティング（ｓｏｌｉｄ−ｓｔａｔｅ  ｌｉｇｈｔｉｎｇ）｛エスエスエル（ＳＳＬ）｝である。該ＬＥＤはＡｌＩｎＧａＮ／ＡｌＮ（２８５ｎｍから放射する）、ＳｉＣ、ＡｌＩｎＧａＮ、ＧａＡｓ、ＡｌＧａＡｓ、ＧａＮ、ＩｎＧａＮ、ＡｌＧａＮ、ＡｌＩｎＧａＮ、ＢａＮ、ＩｎＢａＮ、ＡｌＧａＩｎＰ｛近赤外線（ＮＩＲ）及び赤外線（ＩＲ）で放射する｝、他の様な種々の材料に基づいている。又ＬＥＤは、活性材料としてポリマーで作られ、広いスペクトルの放射を有する有機（ｏｒｇａｎｉｃ）ＬＥＤｓを含む。該放射ソースは、ＬＥＤダイから作る様なＬＥＤ（ＬＥＤ  ｓｕｃｈ  ａｓ  ｓｈａｐｉｎｇ  ｏｆ  ＬＥＤ  ｄｉｅｓ）、透明な制限領域（ｔｒａｎｓｐａｒｅｎｔ  ｃｏｎｆｉｎｅｍｅｎｔ  ｒｅｇｉｏｎ）を有するＬＥＤ、フォトニクス結晶構造体（ｐｈｏｔｏｎｉｃｓ  ｃｒｙｓｔａｌ  ｓｔｒｕｃｔｕｒｅ）、又はリゾナントキャビテイ発光ダイオード（ｒｅｓｏｎａｎｔ−ｃａｖｉｔｙ  ｌｉｇｈｔ−ｅｍｉｔｔｉｎｇ  ｄｉｏｄｅｓ）｛アールシーエルイーデー（ＲＣＬＥＤ）｝とすることが出来る。
【００２６】
他の可能性は、好ましくは広い放射スペクトルソースを提供するのがよいスーパールミネッサントダイオード（ｓｕｐｅｒｌｕｍｉｎｅｓｃｅｎｔ  ｄｉｏｄｅ）｛エスエルデー（ＳＬＤ）｝又はＬＥＤを含む。加えて、レーザーダイオード（ＬＤ）、導波路レーザーダイオード（ｗａｖｅｇｕｉｄｅ  ｌａｓｅｒ  ｄｉｏｄｅ）｛ダブリュージーエルデー（ＷＧＬＤ）｝、そして垂直キャビテイ面放射レーザー（ｖｅｒｔｉｃａｌ  ｃａｖｉｔｙ  ｓｕｒｆａｃｅ  ｅｍｉｔｔｉｎｇ  ｌａｓｅｒ）｛ブイシーエスイーエル（ＶＣＳＥＬ）｝も利用可能である。ＬＥＤ用に使われる同じ材料がダイオードレーザー用に使われる。他の可能性はレーザーダイオードポンピング（ｐｕｍｐｉｎｇ）を有するフアイバーレーザー（ｆｉｂｅｒ  ｌａｓｅｒ）｛エフエル（ＦＬ）｝を含む。ＬＤ、ＬＥＤ又は電流ソース／電圧ソースからの電気的又は光のポンピング（ｅｌｅｃｔｒｏ  ｏｒ  ｌｉｇｈｔ  ｐｕｍｐｉｎｇ）を有する蛍光固体光ソース（Ｆｌｕｏｒｅｓｃｅｎｃｅ  ｓｏｌｉｄ−ｓｔａｔｅ  ｌｉｇｈｔ  ｓｏｕｒｃｅ）｛エフエルエス（ＦＬＳ）｝も放射ソースである。該エフエルエスは電気的ポンピングを有する有機フアイバーとすることが出来る。
【００２７】
白熱灯、蛍光灯、微小ハロゲンランプ（ｍｉｃｒｏ  ｈａｌｉｄｅ  ｌａｍｐｓ）又は他の適当なランプの様なランプも本発明で使われる。ランプは白、赤、近赤外及び赤外照射用放射ソースを提供する。５−１００μｍの範囲用では量子カスケードレーザー（ｑｕａｎｔｕｍ  ｃａｓｃａｄｅ  ｌａｓｅｒｓ）｛キューシーエル（ＱＣＬ）｝又は遠赤外線放射ダイオード（ｆａｒ  ｉｎｆｒａｒｅｄ  ｅｍｉｔｔｉｎｇ  ｄｉｏｄｅｓ）が使われ得る。当業者は、種々の放射ソースが、寸法、要求電力、望まれる治療養生法（ｔｒｅａｔｍｅｎｔ  ｒｅｇｉｍｅｎ）、及びそれらの組み合わせにより、該光学的器具に必
要な光学的放射を提供することを評価するであろう。
【００２８】
ＬＥＤ、レーザーダイオード、又はマイクロランプは発生される光学的エネルギーより２０倍までの高い熱エネルギーを発生する。望ましくない無駄な熱に適合するために、該光放射口用器具は熱伝達及び／又は冷却用機構を有する。例えば、例示的光放射歯ブラシのヘッド部分１２は、放射ソースにより発生される熱を放散ために少なくとも部分的には熱伝導材料で形成される。例えば、図２Ｂを参照すると、ヘッド部分１２はヘッドフレーム３８を有し、該ヘッドフレームは高熱伝導率及び／又は良好なヒートキャパシタンス（ｈｅａｔ  ｃａｐａｃｉｔａｎｃｅ）を有する材料で作られ、放射ソース１８に熱的に結合され、そこから熱を抽出（ｅｘｔｒａｃｔ）する。このフレームは該ヘッドの外面まで延び、該外面は、該歯ブラシの使用時、唾液（ｓａｌｉｖａ）又は組織と接触する。当業者は、例えば、アルミニウム、銅又はそれらの合金を含む金属、セラミックそしてカーボンフアイバーの様な高熱伝導部品を有するプラスチックの様な複合材料（ｃｏｍｐｏｓｉｔｅ  ｍａｔｅｒｉａｌｓ）の様な、種々の材料が必要な熱伝達を提供することを評価するであろう。１実施例では、熱は該フレームから、該光放射歯ブラシ又は光放射マウスピースに接触する隣接組織及び／又は唾液への、熱伝達により除去される。この熱は、追加の又は向上した治療効果（ｔｈｅｒａｐｅｕｔｉｃ  ｅｆｆｅｃｔｓ）を提供するために口の組織、及び／又は口の組織の１部分に塗布されたペーストの穏やかな加熱（ｇｅｎｔｌｅ  ｈｅａｔｉｎｇ）に使われる。
【００２９】
本発明のもう１つの側面では、熱は該光放射歯ブラシのヘッド部分に沿ってハンドル部分に伝達され、周囲環境、例えば、操作者の手に放散（ｄｉｓｓｉｐａｔｅｄ）される。図５は、ヘッド部分１２，ハンドル部分１６そして該ヘッド部分内に組み込まれた少なくとも１つの放射ソース１８を有する本発明の１実施例の光放射歯ブラシを図解する。例えば、高熱伝導率を有する材料で作られた、例えば、ヒートパイプ（ｈｅａｔ  ｐｉｐｅ）の様な細長い要素の形の、熱伝達要素１９が、該ソースにより発生された熱を該ハンドルへ伝達するために、１端で該放射ソースに、もう１端で該ハンドルの部分に、熱的に結合される。該熱伝達要素が結合される該ハンドルの部分は、周囲環境（ａｍｂｉｅｎｔ  ｅｎｖｉｒｏｎｍｅｎｔ）、例えば、ユーザーの手への熱伝達を実現するためにオプションでコルゲートされた面（ｃｏｒｒｕｇａｔｅｄ  ｓｕｒｆａｃｅ）を有してもよい。
【００３０】
図６を参照すると、もう１つの実施例で、本発明の開示の光線療法の口用器具は放射ソースにより発生された熱を、相転移材料（ｐｈａｓｅ  ｔｒａｎｓｆｅｒ  ｍａｔｅｒｉａｌ）が中に貯蔵されるリザーバー７２に伝達する熱伝達要素７０を有する。該相転移材料、例えば、氷、ワックス又は他の適当な材料、はその相（ｐｈａｓｅ）を変える、例えば液体から気体に又は固体から液体に変えるために該熱を吸収し、それにより該熱を放散する。好ましくは、該相転移材料は約３０から５０℃の範囲内に溶融又は気化温度（ｍｅｌｔｉｎｇ  ｏｒ  ｅｖａｐｏｒａｔｉｏｎ  ｔｅｍｐｅｒａｔｕｒｅ）を有するのがよい。
【００３１】
熱伝達要素の上記論議された例は光放射歯ブラシを参照して行われたが、当業者は、該熱伝達要素が本発明の口用器具の何れでも使用され得ることを評価するであろう。特に、これらの熱伝達要素は該光放射マウスピース内の放射ソースから隣接する組織、ハンドル及び／又は周囲環境への熱の蓄積又は伝達を提供する。
【００３２】
或る実施例では、該光放射口用器具は、例えば目標部分に治療用放射を適用しながら、該口腔の目標部分を加熱するためにヒーターを有する。熱的治療法は、光線療法と組み合わされた時、幾つかの治療養生法で有用であり、追加的又は共生的（ｓｙｍｂｉｏｔｉｃ）効果を提供する。図７は本発明の１実施例の光放射歯ブラシのヘッド部分１２内に位置付けられた電気ヒーター４０を示す。該ヒーターから隣接組織への熱伝達を容易にするた
め、ヘッドフレーム３８は図８に示すコルゲートされた形状を有してもよい。
【００３３】
或る実施例では、加熱は放射ソースにより提供される。本発明の１側面では、該ヒーター４０は、治療放射を発生する放射ソース、例えば放射ソース１８とは異なる（ｄｉｓｔｉｎｃｔ）放射ソースである。もう１つの側面では、加熱は治療放射を提供するため使われる同じ放射ソースにより提供されてもよい。例えば、この様な実施例では、該放射ソースは、少なくとも１つのバンド幅が口腔組織を加熱するのに好適なように、広帯域の放射又は２つ以上のバンド幅の放射を発生出来る。代わりに、その少なくとも１つが組織の深い加熱用に好適な波長範囲の放射を提供する多数放射ソース（ｍｕｌｔｉｐｌｅ  ｒａｄｉａｔｉｏｎ  ｓｏｕｒｃｅｓ）が使われることも可能である。例示的深部加熱放射は約０．３８から０．６μｍの範囲又は約０．８から１００μｍの範囲の波長を有する放射を備える。当業者は種々の電気的又は非電気的ヒーターが本発明の口用器具と共に使われ得ることを評価するであろう。
【００３４】
望まれる治療養生法に依り、本発明の口用器具から送られる光学的放射は口腔の種々の領域へ選択的に向けられる。図９−１６は種々の組織範囲を選択的に治療するために本発明が開示する光放射歯ブラシの種々の実施例を図解する。図９は単一指向性の実施例（ｕｎｉｄｉｒｅｃｔｉｏｎａｌ  ｅｍｂｏｄｉｍｅｎｔ）を図解するが、そこでは放射ソースにより発生される光学的放射は、例えば、ブリスル自体を通して、組織に接触している複数のブリスルと実質的に同じ範囲内に向けられる。使用時、該放射は主として硬組織（ｈａｒｄ  ｔｉｓｓｕｅ）、例えばユーザーの歯、の方に向けられる。代わりに、図１０は、主として顔面組織の様な軟組織、例えば頬内組織、を照射（ｉｌｌｕｍｉｎａｔｅ）するために該光学的放射がブリスルの方向から離れるよう向けられる実施例を示す。図１１は本発明の光放射歯ブラシのもう１つの実施例を図解するが、該歯ブラシは該デバイスの前部から放射する光学的エネルギーを、例えば該ブリスルと実質的に直角の方向の、ユーザーの口腔の選択された部分内へ向ける光ソースを有する。この実施例はユーザーの咽喉領域（ｔｈｒｏａｔ  ｒｅｇｉｏｎ）の軟組織を選択的に照射するのに特に好適である。
【００３５】
本発明の１側面では、該放射の少なくとも１部分は歯の硬組織の方向より他の方向に放射される。これはブリスル又はその延長を囲む周囲により規定される断面範囲により表されるものより他の方向に放射を放出することにより本発明の光放射歯ブラシで達成され得る。図１１Ａはブリスル１４を有する光放射歯ブラシのヘッド部分１２を図解する。示される様に、該ブリスルの周囲は範囲８２を規定し、該範囲はカラム（ｃｏｌｕｍｎ）８４を創るよう該ブリスルから外方へ延ばされ得る。好ましくは、主に軟組織を治療するため光放射歯ブラシにより放射される光学的放射はカラム８４と交叉しないのがよい。
【００３６】
もう１つの実施例では、光学的放射は同じ口用器具から多方向に向けられる（種々の図で方向矢印５で示される様に）。例えば、本発明の光放射歯ブラシは、２つのＬＥＤグループの、１グループは該ブリスルに実質的に平行な方向に放射することが出来る一方、もう１つのグループは反対方向に放射することが出来るよう、図１２に示す様に、２グループのＬＥＤを有する。
【００３７】
図１４はそのデバイスの両側から出る放射を有するもう１つの多方向光放射歯ブラシ（ｍｕｌｔｉｄｉｒｅｃｔｉｏｎａｌ  ｌｉｇｈｔ  ｅｍｉｔｔｉｎｇ  ｔｏｏｔｈｂｒｕｓｈ）を示す（ブリスルは紙面から出てくる）。図１５はその前部に向かって、及びブリスルの方向へ、向けられた放射を示す。最後に、図１６と１７は２つより多い方向に向けられた放射を有する多方向光放射歯ブラシの他の側面を図解する。図１６は３方向性の実施例を図解し、一方図１７は５方向性の光放射歯ブラシを示す（前部、両側、頂部そして底部）。
【００３８】
多方向性の光放射口用器具の図解された例は本発明の光放射マウスピースに同様に適用される。図３と４に示す様に、光学的放射は、光放射マウスピース２４のボデイ部分２６から、口腔内の又はそれを囲む種々の構造体又は組織の種類に向かって向けられる。図１８は舌の回りに放射を向けるよう設計された光放射マウスピースを示す。この実施例は、過剰バクテリア成長（ｅｘｃｅｓｓｉｖｅ  ｂａｃｔｅｒｉａｌ  ｇｒｏｗｔｈ）の様な、舌の疾病を治療するのに有用である。もう１つの実施例では、光放射マウスピース２４は歯、歯肉、及び／又は頬組織を治療するよう設計され得る。例えば、図１９は歯と頬組織の間に位置付けられたボデイ部分２６を示す。この実施例では、光学的エネルギーは、頬（口腔の壁）、歯肉、そして歯組織の方に選択的に向けられる。なお更に進んだ実施例では、該光放射マウスピースからの光学的放射は、図２０に示す舌の下の軟組織、又は例えば口内薬（ｏｒａｌ  ｄｒｕｇ）又はビタミンの配送をサポートする口腔の他の部分、に向かって向けられる。薬（ｄｒｕｇ）又はビタミン２３は、例えば、液体の形で開口部３１を通して粘膜（ｍｕｃｏｓａ）へ配送される一方、光ソース１８は該薬及び粘膜上に放射を向ける。この放射は、該薬の該口腔組織内への向上した摂取（ｕｐｔａｋｅ）と貫入用に該粘膜の浸透性（ｐｅｒｍｅａｂｉｌｉｔｙ）を高めるよう選択される。代わりに、又は加えて、該放射はより良い治療効果用に該薬を賦活（ａｃｔｉｖａｔｅ）する。この様な薬配送方法は医者のオフイス又は家庭で使われる。
【００３９】
光学的放射が放出される方向は種々の方法で制御される。１実施例では、光学的放射ソース１８は、それが作る放射が目標組織に向かって進むように配置される。これは光学的放射ソースを該口用器具の表面に、又はその近くに位置付け、該表面を目標組織（ｔａｒｇｅｔ  ｔｉｓｓｕｅ）に隣接して置くことにより達成される。もう１つの実施例では、光学的要素、例えば、反射又は屈折要素、はそのソースにより放出される放射を選択的に向けるために該放射ソースに結合される。該光学的要素は、該光学的放射を目標組織へ向ける、例えば、回転可能な（ｒｏｔａｔａｂｌｅ）ミラー、プリズム、及び／又は拡散体（ｄｉｆｆｕｓｅｒ）を含んでもよい。例えば、図２０Ａを参照すると、本発明の１実施例の光放射歯ブラシ１０は回転可能なミラー１１と光学的に結合された放射ソース１８を有するが、該ミラーはソース１８によって放出された放射を、矢印５ａに示される様に複数のブリスル１４に沿うようにか、或いは矢印５ｂに示される様に該ブリスルと実質的に反対の方向にか、何れかに向ける。
【００４０】
単一方向又は多方向の光学的放射を提供するのに加えて、本発明の口用器具は単一又は多数のバンドの光学的放射を供給出来る。例えば、或る治療養生法は、単一青色（ｓｉｎｇｌｅ  ｂｌｕｅ  ｃｏｌｏｒ）（４００−４３０ｎｍの中心波長）、単一緑色（ｓｉｎｇｌｅ  ｇｒｅｅｎ  ｃｏｌｏｒ）（５４０−５６０ｎｍの中心波長）、単一赤色（ｓｉｎｇｌｅ  ｒｅｄ  ｃｏｌｏｒ）（中心波長６２０−６３５、６６０ｎｍ）又は近赤外線単一色（ＮＩＲ  ｓｉｎｇｌｅ  ｃｏｌｏｒ）（中心波長８００−８１０ｎｍ）の様な単一波長バンド（ｓｉｎｇｌｅ  ｗａｖｅｌｅｎｇｔｈ  ｂａｎｄ）を要求する。代わりに、光学的放射の２つ、３つ又はより多くの個別バンド（ｄｉｓｔｉｎｃｔ  ｂａｎｄｓ）を含む、これらの又は他の個別波長の組み合わせが適用されてもよい。例えば、もっと有効に同じ状態を治療する又は２つの異なる状態を治療するために２つの別々の波長バンドが使われてもよい。
【００４１】
多数の個別波長バンドは種々の方法で達成される。本発明の１側面では、広帯域放射ソースが、望まれない波長を濾し去る（ｆｉｌｔｅｒ  ｏｕｔ）光学的要素と共に用いられる。例えば、フイルター又は複数フイルターはそのスペクトラムの青と赤の部分のそれらを除いて広帯域スペクトラム（ｂｒｏａｄ  ｓｐｅｃｔｒｕｍ）から全波長を取り除く。本発明のもう１つの側面では、多数の個別バンドは、各ソースが望まれるバンドの光学的放射を提供する多数の放射ソースで達成される。そしてなおもう１つの側面では、多数の
個別バンドを作る１つの放射ソースが使われてもよい。例として、単一ＬＥＤが２つ以上の個別波長バンドを作るために使われてもよい。追加の波長を発生するために放射エネルギーの蛍光変換（Ｆｌｕｏｒｅｓｃｅｎｃｅ  ｃｏｎｖｅｒｓｉｏｎ）が使われてもよい。もう１つの例として、ダイオードでポンプされたフアイバーレーザー（ｄｉｏｄｅ  ｐｕｍｐｅｄ  ｆｉｂｅｒ  ｌａｓｅｒ）が２つの波長を発生するため使われてもよく、そこでは１つは該フアイバーをポンプするダイオードレーザー（ｔｈｅ  ｄｉｏｄｅ  ｌａｓｅｒ  ｐｕｍｐｉｎｇ  ｔｈｅ  ｆｉｂｅｒ）に対応し、もう１つは該フアイバーレーザー波長（ｔｈｅ  ｆｉｂｅｒ  ｌａｓｅｒ  ｗａｖｅｌｅｎｇｔｈ）に対応する。
【００４２】
該口用器具の或る実施例では、波長バンドを変えることが望ましい。これは、取り外し可能なヘッド部分を使うことにより本発明の光放射歯ブラシで達成される。各ヘッド部分は種々の波長の光を作る放射ソースを有することが出来る。ユーザーは取り外し可能なヘッド部分の中で選択することにより望ましい波長バンドを選ぶことが出来る。代わりに、ハンドル部分が広帯域光ソースを有し、該取り外し可能なヘッド部分は望ましい波長バンドを分離するフイルターを有してもよい。
【００４３】
上記の様に、本発明の光放射歯ブラシの種々の実施例は、硬及び軟組織の機械的クリーニング、マッサージ、血液循環の賦活、改良された光貫入のための軟組織の圧縮（ｃｏｍｐｒｅｓｓｉｏｎ  ｏｆ  ｓｏｆｔ  ｔｉｓｓｕｅ  ｆｏｒ  ｉｍｐｒｏｖｅｄ  ｌｉｇｈｔ  ｐｅｎｅｔｒａｔｉｏｎ）、そして改良された光配送（ｉｍｐｒｏｖｅｄ  ｌｉｇｈｔ  ｄｅｌｉｖｅｒｙ）、を含むが、それらに限定されない、機能を行うためのブリスルを有する。例えば、本発明の光放射歯ブラシのヘッド部分１２の切開側面図である図２１は、ヘッド部分１２に結合された複数のブリスル１４を示すが、該ヘッド部分は放射ソース１８により作られるバンド幅の少なくとも１つ内の放射に実質的に透明な材料で作られるのが好ましい。加えて、ブリスル１４は、好ましくは最小損失で、組織へ光学的エネルギーを向け、そして／又はそれへの該光学的放射の伝達を実現する、のを助けるのがよい。放射ソースにより発生されるエネルギーの口腔組織内との結合を最小損失でもたらすことは、該放射ソースの利用効率を高め、本発明の光放射歯ブラシとマウスピースの操作に付随するコストを最小にする。
【００４４】
図２２は透明材料で形成された細長いボデイ４８を有する、ここでは’活性ブリスル（ａｃｔｉｖｅ  ｂｒｉｓｔｌｅ）’とも呼ばれるブリスルを示すが、該ブリスルは、ＬＥＤ又はダイオードレーザーの様な放射ソース１８と近位の端部４９で嵌合し、透明材料で形成された細長いボデイ４８と，基盤５０と，そして光学的反射要素５２と，を有する。該ブリスルの該放射ソース１８との、例えば、光学的糊（ｏｐｔｉｃａｌ  ｇｌｕｅ）又は他の適当な機構を介した、直接の光学的結合は、該ブリスル内への放射の結合を有利に高め、該ブリスルは翻ってユーザーの口腔への配送用に該放射をその遠位の端部６２へ伝送する導波路（ｗａｖｅｇｕｉｄｅ）として機能する。反射性光学的要素（ｒｅｆｌｅｃｔｉｖｅ  ｏｐｔｉｃａｌ  ｅｌｅｍｅｎｔ）５２、例えば、ミラー、は該ブリスルの方向とは異なる方向に放出された光を、該ブリスル内に導き、それにより該ブリスルの該光ソースとの光学的結合を高める。例えば、反射性要素５２はＬＥＤからのエッジ放出される放射（ｅｄｇｅ  ｅｍｉｔｔｉｎｇ  ｒａｄｉａｔｉｏｎ）を該ブリスル内に結合するため使われる。１実施例では、基盤５０と光学的要素５２はそれらの高反射性表面により光学的エネルギーを導く。この設計はＬＥＤからの光の抽出と、それの口腔組織への配送と、を有利に最大化する。
【００４５】
１実施例では、各ブリスルは放射ソース１８と光学的に結合され、更に進んだ実施例では、各ブリスルは個別ＬＥＤに結合される。例えば、各ブリスルは１つの放射ソース１８と実質的に位置合わせされる（ｉｎ  ｓｕｂｓｔａｎｔｉａｌ  ｒｅｇｉｓｔｅｒ）（図２２）。この様な嵌合を実現するために、ブリスル１４はその近位の端部４９で、放射ソ
ース１８の放出面を受けるよう形作られる。
【００４６】
或る実施例では、ブリスル１４は、放射ソースからユーザーの口腔の部分へ放射を導く導波路（ｗａｖｅｇｕｉｄｅ）として作用する。例えば、図２３は高屈折性コア（ｈｉｇｈｌｙ  ｒｅｆｒａｃｔｉｖｅ  ｃｏｒｅ）５４と低屈折性の被覆（ｌｏｗ  ｒｅｆｒａｃｔｉｖｅ  ｃｌａｄｄｉｎｇ）５６を有するブリスルを略図で図解する。光学的放射はコア５４を通るよう導かれ、被覆５６により収容される。光学的エネルギーが開いたブリスル先端５８に達すると、該放射はリリース（ｒｅｌｅａｓｅｄ）される。この実施例は放射がブリスル先端５８と接する組織に導かれることを可能にする。光学的放射の組織への伝達の面で更に助けとなるよう、該ブリスル先端と目標組織との屈折率はマッチさせられる。例えば、屈折率のブリスルと空気の間の差のために、該ブリスル１４は内部反射により光学的放射を殆ど収容する。該ブリスルが組織に接する時だけ、解放される光学的放射の量の増加がある。
【００４７】
本発明の或る実施例では、該ブリスルは選択された点での放射の制御された漏洩を可能にするよう形作られる。例えば、図２４は光学的ループの形のブリスル１４のもう１つの実施例を図解する。該ループの両端は光学的放射のソース１８に接続される。光は、そのベンド（ｂｅｎｄ）に於いてを除いて、該ループ内に概ね収容されるが、該ベンドでは妨害された完全又は殆ど完全な内部反射効果が光漏洩を可能にする。該ベンドは光学的放射を送るため目標組織範囲内に位置付けられる。又この様なブリスルは、それらが光が選択部分、例えば、口腔組織と接触する部分、に於いてのみ放出されることを保証するので、そのデバイスの眼の安全特性（ｅｙｅ  ｓａｆｅｔｙ  ｃｈａｒａｃｔｅｒｉｓｔｉｃｓ）を高める。完全内部反射（ｃｏｍｐｌｅｔｅ  ｉｎｔｅｒｎａｌ  ｒｅｆｌｅｃｔｉｏｎ）を通して、それと接触する組織内への光の抽出（ｅｘｔｒａｃｔｉｏｎ）を可能にするこの様な活性ブリスルは、眼の安全が特に心配される時、高電力光放射歯ブラシ（ｈｉｇｈ  ｐｏｗｅｒ  ｌｉｇｈｔ  ｅｍｉｔｔｉｎｇ  ｔｏｏｔｈ  ｂｒｕｓｈｅｓ）用で特に有用である。本発明の光放射歯ブラシは従って上記活性ブリスルで形成されたブリスル束（ｂｕｎｄｌｅ  ｏｆ  ｂｒｉｓｔｌｅｓ）を有する。
【００４８】
該ブリスルは、光学的放射の制御された漏洩を実現する他の形状を有することが出来る。図２５はスパイラルブリスル（ｓｐｉｒａｌ  ｂｒｉｓｔｌｅ）を有するが、該ブリスルは最大曲率（ｍａｘｉｍｕｍ  ｃｕｒｖａｔｕｒｅ）を有する点に於いて光漏洩６０を可能にする。図２６はベースから制御された先端角度を有する小さい先端６２まで延びる円錐型ブリスルを図解する。放射光線がベースから該先端へ向かって該ブリスルをトラバース（ｔｒａｖｅｒｓｅｓ）すると、該ブリスルと周囲環境のインターフエースでのその入射角は、点６０ａ、６０ｂ、６０ｃ、そして６０ｄの様な或る点で放射が該ブリスルの外へ洩れるように、増加する。
【００４９】
もう１つの実施例では、該ブリスルをドープ（ｄｏｐｉｎｇ）するか、又は該放射ソースの放射スペクトルを改良することにより、分散されたパターンで該光学的エネルギーをリリースし、ホットスポット（ｈｏｔ  ｓｐｏｔ）の形成を低減することが望ましい。例えば、該ブリスルは光学的放射に露光された時蛍光を発する分散された蛍光材料を中に有してもよい。代わりに、染料（ｄｙｅ）の様なレーザー作用する材料（ｌａｓｉｎｇ  ｍａｔｅｒｉａｌ）が該ブリスルをドープするため使われてもよい。
【００５０】
又本発明の光放射マウスピースのボデイは、該ブリスルに関して説明した概念に基づき、放射の制御された漏洩又は分散を可能にするよう設計されてもよい。例えば、選択点を除いて、光がマウスピースボデイ２６内に収容される、そして／又は該ボデイが光分散材料（ｌｉｇｈｔ  ｄｉｓｐｅｒｓｉｎｇ  ｍａｔｅｒｉａｌ）を含むことが可能である。
【００５１】
本発明の口用器具は口腔内で治療をモニターし、そして／又は状態を診断するためのセンサーを追加的に有してもよい。図２７Ａと２７Ｂは、１つ以上の蛍光検出モジュール４２を有する診断用光放射歯ブラシのヘッドの、それぞれ切開側面図と底面図を示す。各モジュールは、好ましくは、光学的フイルターと、電子的検出システムに接続された感光性マイクロチップと、を有するのがよい。該検出モジュールにより検出された蛍光信号は、歯の漂白及び光沢化に関する情報のみならず、歯周ポケット内のバクテリア濃度、硬組織（ｈａｒｄ  ｔｉｓｓｕｅ）｛カリエス病変（ｃａｒｉｏｕｓ  ｌｅｓｉｏｎ）｝、唾液又は真菌症（ｍｙｃｏｓｉｓ）に関する情報を提供する。追加の蛍光信号は癌を含む種々の粘膜疾患の早期の診断用に使われる。１実施例では、該口用器具は、該蛍光信号に基づいてユーザーに、何時治療が完了したか、又は状態が検出されたか、を示す信号機構を有してもよい。もう１つの実施例では、反射率計（ｒｅｆｌｅｃｔｏｍｅｔｅｒ）が本発明のエルイーテービー又はエルイーエムピーに組み込まれてもよい。例えば、ＬＥＤを通しての光誘起電流が反射光検出用に使われ得る。他の実施例では、分離したＬＥＤと光検出器が種々の波長での反射を測定するために使われる。反射は硬組織のカリエス、漂白、光沢化及び／又は粘膜疾患の診断用に使われる。他の実施例では、エルイーテービー又はエルイーエムピーからの光が前歯のカリエスの半透明度診断（ｔｒａｎｓｌｕｃｅｎｃｅ  ｄｉａｇｎｏｓｔｉｃ）用に使われる。約４５０から約８００ｎｍの範囲の波長がこの目的用に使われる。
【００５２】
又センサーは、何時治療セション（ｔｒｅａｔｍｅｎｔ  ｓｅｓｓｉｏｎ）が完了したか、何時口用器具が適当に位置付けられたか、何時口用器具が組織と接触したか、及び／又は、治療範囲の温度が予め決められたレベルの上に昇ったかどうかを検出し、ユーザーに警報する様な、種々の他の情報をユーザーに提供出来る。又センサーは治療期間（複数を含む）の自動フイードバック制御を提供する制御器と共に使われる。１例示的実施例では、該センサーからの信号に基づき放射ソースを制御する制御器が診断用センサーと接続される。もう１つのオプションの実施例では、該口用器具が組織と接触している時だけ放射を放出するよう制御器はセンサーと組み合わされる。
【００５３】
図２７Ａと２７Ｂは本発明の光放射歯ブラシ内に配置された制御器４３を図解する。当業者は、例えば、マイクロスイッチ、マイクロプロセサー、そして他のアナログ又はデジタルデバイスの様な種々の制御器が、光放射口用器具の種々の特徴と治療パラメーターを調整するために使われることを評価するであろう。
【００５４】
もう１つの実施例では、本発明の該口用器具は治療の面で助ける種々の特徴を有する。例えば、該光放射歯ブラシ又は光放射マウスピースは、機械的クリーニングで助けるために、機械的又は超音波加振器（ｍｅｃｈａｎｉｃａｌ  ｏｒ  ｕｌｔｒａｓｏｎｉｃ  ｖｉｂｒａｔｏｒｓ）の様な振動機構を有することが出来る。図２８は機械的加振器４４を有する光放射歯ブラシを図解する。該加振器により発生される振動は、より良い歯のクリーニング用のみならず光線療法の向上用にも使われる。例えば、該振動は軟組織内への光貫入を増加させ、そして／又は、細胞及び／又はバクテリアへの光治療の効果を増加させる。この様な向上の１機構は光治療される目標へのより良い酸素配送である。図２９は、電場、磁場、化学的実現（ｃｈｅｍｉｃａｌ  ｒｅａｌｉｚｅ）、及び／又は低レベル非定常同位体放射（ｌｏｗ  ｌｅｖｅｌ  ｎｏｎ  ｓｔａｂｌｅ  ｉｓｏｔｏｐｅ  ｒａｄｉａｔｉｏｎ）を創るための追加部品４６を有する光放射歯ブラシを示す。部品４６は電気的に荷電される要素（ｅｌｅｃｔｒｉｃａｌｌｙ  ｃｈａｒｇｅｄ  ｅｌｅｍｅｎｔ）、磁石、化学的コンテナー（ｃｈｅｍｉｃａｌ  ｃｏｎｔａｉｎｅｒ）、同位体コンテナー（ｉｓｏｔｏｐｅ  ｃｏｎｔａｉｎｅｒ）他とすることが出来る。
【００５５】
なおもう１つの実施例では、本発明は放射を組織へより効率的に配送する反射面を有してもよい。放射が目標範囲へ配送されると、放射の幾らかは組織面で反射され、失われた
放射（ｌｏｓｔ  ｒａｄｉａｔｉｏｎ）に帰着する。この反射エネルギーを節約するために、本発明の口用器具は、該反射された放射の少なくとも１部分をその組織へ戻す高度に反射性の面を有してもよい。例えば、図１に描かれた光放射歯ブラシは放射配送効率（ｒａｄｉａｔｉｏｎ  ｄｅｌｉｖｅｒｙ  ｅｆｆｉｃｉｅｎｃｙ）を高める反射面２０を有する。光放射マウスピースの組織に面する面は同様に反射性である。
【００５６】
本発明の口用器具は光ソースを駆動する電源３２（図２８）、及び／又は使い捨てバッテリー（ｄｉｓｐｏｓａｂｌｅ  ｂａｔｔｅｒｙ）、再充電可能なバッテリー（ｒｅｃｈａｒｇｅａｂｌｅ）、及び／又はキャパシターと組み合わせた太陽電池（ｓｏｌａｒ  ｂａｔｔｅｒｙ）を含んでもよい他の部品、を有する。代わりに、該電力は部分的に又は完全に該口用器具の運動（ｍｏｔｉｏｎ）から得られてもよい。例えば、図３０はコイル３５内部に運動可能に配置された磁気ロッド（ｍａｇｎｅｔｉｃ  ｒｏｄ）３３を有する光放射歯ブラシを図解する。ブラシング中の該光放射歯ブラシの前後運動（ｂａｃｋ  ａｎｄ  ｆｏｒｔｈ  ｍｏｔｉｏｎ）は、光ソース、他の部品、及び／又は再充電可能なバッテリーの電気的需要を供給するための電気エネルギーを発生出来る。
【００５７】
本発明の開示の口用器具は１回の及び／又は多数回の治療手順（ｓｉｎｇｌｅ−ｗｉｓｅ  ａｎｄ／ｏｒ  ｍｕｌｔｉ−ｗｉｓｅ  ｔｒｅａｔｍｅｎｔ  ｐｒｏｃｅｄｕｒｅｓ）の適用に、例えば、２，３週又は１月の間に１日当たり２回、使われてもよい。本発明の口用器具は、有効性を改良するために、発色団（ｃｈｒｏｍｏｐｈｏｒｅｓ）及び光学的カップラー（ｏｐｔｉｃａｌ  ｃｏｕｐｌｅｒｓ）、の様な種々の治療剤（ｔｒｅａｔｍｅｎｔ  ａｇｅｎｔｓ）と共に使用されてよい。これらの薬剤は、口腔と、光放射歯ブラシ又は光放射マウスピースの様な口用器具と、に塗布（ａｐｐｌｙｉｎｇ）するための治療剤を含む口用器具システム（ｏｒａｌ  ａｐｐｌｉａｎｃｅ  ｓｙｓｔｅｍ）の１部分とすることが出来る。１実施例では、該治療剤はペースト、フイルム、液体リンス（ｌｉｑｕｉｄ  ｒｉｎｓｅ）、スプレー、又はそれらの組み合わせの形で口腔に塗布される。
【００５８】
発色団｛又は光増感剤（ｐｈｏｔｏｓｅｎｓｉｔｉｚｅｒ）｝は歯の漂白及び光沢化のみならず微生物の光力学的（ｐｈｏｔｏｄｙｎａｍｉｃ）及び光熱的（ｐｈｏｔｏｔｈｅｒｍａｌ）な殺菌作用（ｋｉｌｌｉｎｇ）の向上用の治療剤として有用である。発色団は固有（ｉｎｒｉｎｓｉｃ）の光アクセプター（ｌｉｇｈｔ  ａｃｃｅｐｔｏｒｓ）を有し、該アクセプターは組織内で窒素酸化物、シングレット酸素（ｓｉｎｇｌｅｔ  ｏｘｙｇｅｎ）、そして他の基（ｒａｄｉｃａｌｓ）の発生へ導く連鎖光化学反応を誘起しそして／又は高める。好ましい発色団は非毒性のそれらを含む（すなわち、それより下では特定の光無しではバクテリア又は組織への作用がない濃度で提供される発色団）。本発明で使われる例示的で外因的発色団（ｅｘｏｇｅｎｏｕｓ）は染料（ｄｙｅｓ）：メチレンブルー（ｍｅｔｈｙｌｅｎｅ  ｂｌｕｅ）、インドシアニングリーン（ｉｎｄｏｃｙａｎｉｎｅ）、エイエルエイ（ＡＬＡ）−増殖する細胞内のポルフィリンの誘導体−、鉱物性の光触媒（ｐｈｏｔｏｃａｔａｌｙｓｔｓ）及び光増感剤（ｐｈｏｔｏｓｅｎｓｉｔｉｚｅｒｓ）：ＴｉＯ２、ナノ粒子（ｎａｎｏｐａｒｔｉｃｌｅ）、フラーレン（ｆｕｌｌｅｒｅｎｅｓ）、チューブレン（ｔｕｂｕｌｅｎｅ）、カーボンブラック、及び他の同様な治療薬剤を含む。
【００５９】
又内因性発色団（Ｅｎｄｏｇｅｎｏｕｓ  ｃｈｒｏｍｏｐｈｏｒｅｓ）が口腔及び周囲組織の中にある。これらの発色団は自然に発生（ｏｃｃｕｒｒｉｎｇ）する物質で、該物質は、それらの吸収バンドの光学的放射に曝された時、上記の外因的種と同様な基発生をもたらす。例示的固有発色団はプロトポルフィリン（ｐｒｏｔｏｐｏｒｐｈｙｒｉｎｓ）、コープロポルフィリン（ｃｏｐｒｏｐｏｒｐｈｙｒｉｎｓ）そして亜鉛−プロトポルフィリン（Ｚｎ−ｐｒｏｔｏｐｏｒｐｈｙｒｉｎｓ）の様なポルフィリンである。ポルフィ
リン用吸収バンドは青色光、そしてより低い程度で、緑色光及び赤色光である。他の固有発色団はシトジェム（ｃｙｔｏｇｅｍ）の様なシトクローム（ｃｙｔｏｃｈｒｏｍｅｓ）、シトポルフィリン（ｃｙｔｏｐｏｒｐｈｙｒｉｎ）、ビリルビン（ｂｉｌｉｒｕｂｉｎ）、そして分子性酸素を含む。
【００６０】
本発明で使用されるもう１つの治療剤は光学的カップリング剤（ｏｐｔｉｃａｌ  ｃｏｕｐｌｉｎｇ  ａｇｅｎｔｓ）である。これらの化合物は組織表面での光散乱（ｌｉｇｈｔ  ｓｃａｔｔｅｒｉｎｇ）の量を減じることにより下にある組織（ｕｎｄｅｒｌｙｉｎｇ  ｔｉｓｓｕｅ）内への増加した光学的アクセス（ｉｎｃｒｅａｓｅｄ  ｏｐｔｉｃａｌ  ａｃｃｅｓｓ）を提供する。例示される光学的カップリング剤はグリセロール（ｇｌｙｃｅｒｏｌ）、ブドウ糖、プロピレングリコール（ｐｒｏｐｙｌｅｎｅ  ｇｌｙｃｏｌ）、ポリエチレングリコール（ｐｏｌｙｅｔｈｙｌｅｎｅ  ｇｌｙｃｏｌ）、Ｘ線コントラスト剤（ｘ−ｒａｙ  ｃｏｎｔｒａｓｔｉｎｇ  ａｇｅｎｔｓ）｛トラゾグラフ（Ｔｒａｚｏｇｒａｐｈ）−６０、トラゾグラフ−７６、ベログラフイン（Ｖｅｒｏｇｒａｆｉｎ）−６０、ベログラフイン−７６、そしてハイペーク（Ｈｙｐａｑｕｅ）−６０｝、タンパク質｛ヘモグロビン（ｈｅｍｏｇｌｏｂｉｎ）、アルブミン（ａｌｂｕｍｉｎ）｝、そしてそれらの組み合わせを含む。又該光学的カップリング剤はエタノール及び水の様な添加剤（ａｄｄｉｔｉｖｅｓ）（例えば、エタノール、グリセロールそして水）と共に用いられてもよい。図３１は点滴（ｄｒｏｐｐｉｎｇ）によりブドウ糖溶液投与時のウサギの眼について生体内で測定された強膜の（ｓｃｌｅｒａｌ）組織の後方散乱（ｂａｃｋｓｃａｔｔｅｒｉｎｇ）の可成りの減少｛光学的透過率（ｏｐｔｉｃａｌ  ｔｒａｎｓｍｉｔｔａｎｃｅ）の増加｝を図解する。歯肉組織の同様な構造により、光学的カップリング剤を含む歯磨きペーストを使用する歯のクリーニング過程で、同じ光学的カップリングが数分で（２−３分）で達成出来る。幾つかのカップリング剤、それらの屈折率、そしてｐＨ値が図３２で提示される。或る光学的カップリング剤の塗布は、散乱の効果的減少の上に、その口腔内のｐＨを正常化（ｎｏｒｍａｌｉｚｅ）し（６．５−６．９）、従って、歯肉と歯肉膨らみ（ｇｉｎｇｉｖａｌ  ａｎｄ  ｇｕｍ  ｓｗｅｌｌｉｎｇ）を最小化することが図３２から見られる。
【００６１】
追加の治療剤は更に、知覚鈍麻剤（ｄｅｓｅｎｓｉｔｉｚｉｎｇ  ａｇｅｎｔ）（例えば、クエン酸ナトリウム及び硝酸カリウム）、ゲル化剤（例えば、塩化ナトリウム及びグリセロール）、接着性マトリックス材料（ｓｔｉｃｋｙ  ｍａｔｒｉｘ  ｍａｔｅｒｉａｌ）｛例えば、カーボッポル９７４エヌエフ（ＣＡＲＢＯＰＰＯＬ  ９７４  ＮＦ）｝そして従来の歯磨きペーストを含む。口腔内のｐＨレベルを安定化させる又は調整する材料も治療剤として追加されてもよい。
【００６２】
本発明の口用器具は口腔の中及び回りの種々の光力学的及び光線療法的治療用に使用される。これらの治療は、約１から１００００ｍＷ／ｃｍ２の範囲の電力密度で、約２８０から３０００ｎｍの範囲の光エネルギーを送ることで生じ、集合的に生体刺激（ｂｉｏｓｔｉｍｕｌａｔｉｏｎ）と呼ばれる、幾つかの生物物理学的現象に基づく。好ましい実施例では、生体刺激は１Ｊ／ｃｍ２から１０００Ｊ／ｃｍ２の範囲のエネルギーフラックス（ｅｎｅｒｇｙ  ｆｌｕｘ）で、そしてもっと好ましい実施例では、約１０Ｊ／ｃｍ２から１００Ｊ／ｃｍ２の範囲のそれでもたらされる。
【００６３】
生体刺激は、例えば、内因性ポルフィリン、シトクローム、そして分子性酸素による光吸収に依っての、歯肉、舌、唾液腺及び管、扁桃腺（ｔｏｎｓｉｌｓ）、声帯（ｖｏｃａｌ  ｃｏｒｄｓ）、唇、頬、口周囲の顔面皮膚（ｐｅｒｉｏｒａｌ  ｆａｃｉａｌ  ｓｋｉｎ）そして他の組織の、血液及びリンパ（ｌｙｍｐｈ）の微小循環（ｍｉｃｒｏｃｉｒｃｕｌａｔｉｏｎ）の増加を含む。光吸収は、血管及び／又はリンパ官の拡張（ｄｉｌａｔａｔｉｏｎ）を引き起こす光励起窒素酸化物（ｐｈｏｔｏ  ｓｔｉｍｕｌａｔｅｄ  ｎ
ｉｔｒｉｃ  ｏｘｉｄｅ）（ＮＯ）を誘起し、又細胞ミトコンドリア内のＣａ２＋蓄積と、光で減衰した交感神経性血管神経活動（ｓｙｍｐａｔｈｅｔｉｃ  ｖａｓｏｍｏｔｏｒ
ｎｅｒｖｅ  ａｃｔｉｖｉｔｙ）を引き起こす血管平滑筋細胞内のＣａ２＋依存のエイテーピーアーゼ（ＡＴＰａｓｅ）の賦活と、を誘起する。これらの過程は、組織ドレイン機能（ｔｉｓｓｕｅ  ｄｒａｉｎａｇｅ  ｆｕｎｃｔｉｏｎ）、内皮細胞及び内皮白血球の増殖能（ｅｎｄｏｔｈｅｌｉｕｍ  ｃｅｌｌｓ  ａｎｄ  ｅｎｄｏｔｈｅｌｉａｌ  ｌｅｕｋｏｃｙｔｅ  ｐｒｏｌｉｆｅｒａｔｉｖｅ  ｐｏｔｅｎｃｙ）、そして口腔上皮（ｏｒａｌ  ｃａｖｉｔｙ  ｅｐｉｔｈｅｌｉｕｍ）、歯肉組織、神経組織、皮膚コラーゲン（ｓｋｉｎ  ｃｏｌｌａｇｅｎ）そして他の組織の再生を助ける新毛細血管網（ｎｅｗ
ｃａｐｉｌｌａｒｙ  ｎｅｔ）の形成、を賦活する。加えて、光線療法の加熱との組み合わせ作用は又上記組織及び腺（ｇｌａｎｄ）の血液及びリンパの微小循環の賦活を引き起こす。
【００６４】
他の効果は、エナメル及びぞうげ質（ｄｅｎｔｉｎｅ）を通しての導波路光伝播により引き起こされる歯髄（ｔｏｏｔｈ  ｐｕｌｐ）内光集中による歯髄内血液微小循環の賦活と、ハイドロオキシアパタイト（ｈｙｄｒｏｘｙａｐａｔｉｔｅ）構造体内の空洞（ｖａｃａｎｃｉｅｓ）を充たすようカルシウムイオンを助ける、歯髄からタンパク質マトリックスを通ってエナメル（ｅｎａｍｅｌ）までのカルシウムイオンフラックス（ｃａｌｃｉｕｍ  ｉｏｎ  ｆｌｕｘ）の対応する増加を含む。
【００６５】
又生体刺激は、局所的（口及び周囲組織）マクロファージ（ｍａｃｒｏｐｈａｇｅ）活動の増加と、線維芽細胞（ｆｉｂｒｏｂｌａｓｔ）、骨芽細胞（ｏｓｔｅｏｂｌａｓｔ）そしてぞうげ芽細胞（ｏｄｏｎｔｏｂｌａｓｔ）の増殖（ｐｒｏｌｉｆｅｒａｔｉｏｎ）と、を有する。これは上皮、コラーゲン、神経組織、そして硬い歯の組織再生に帰着する。又追加の重要利点はバクテリア、かび（ｆｕｎｇｉ）、そしてウイルスの死滅である。この効果は内因性ポルフィリン、分子性酸素、組み合わされた外因的染料（ｅｘｏｇｅｎｏｕｓ  ｄｙｅｓ）、鉱物性光増感剤（ｍｉｎｅｒａｌ  ｐｈｏｔｏｓｅｎｓｉｔｉｚｅｒ）、及び／又は光触媒（ｐｈｏｔｏｃａｔａｌｙｓｔｓ）への光の作用により誘起される。
【００６６】
もう１つの望ましい効果は、バクテリア活動減少により引き起こされる口腔ｐＨの正常化と、口の組織の膨らみと浸透圧（ｏｓｍｏｔｉｃ  ｐｒｅｓｓｕｒｅ）との減少に導く口の損傷｛口内炎（ｓｔｏｍａｔｉｔｉｓ）｝の快癒（ｈｅａｌｉｎｇ）である。
【００６７】
又、体系的利益（生体刺激）効果は血液及びリンパの照射を介して改良された免疫適格性（ｉｍｍｕｎｏｃｏｍｐｅｔｅｎｃｅ）を提供する。特に生体刺激は血液とリンパのマクロファージの光改良された免疫適格性を引き起こし、それは超酸化物（ｓｕｐｅｒｏｘｉｄｅ）と窒素酸化物、赤血球（ｅｒｙｔｈｒｏｃｙｔｅ）膜弾性、そしてリンパ細胞増殖活動を引き起こす。他の全身体効果は人間日周期リズム（ｈｕｍａｎ  ｃｉｒｃａｄｉａｎ  ｒｈｙｔｈｍｓ）の光誘起された制御を含む。
【００６８】
本発明の口用器具は、光学的放射を用いた口腔範囲の直接照射を含む種々の他の療法の治療用に用いられる。光放射歯ブラシと光放射マウスピースの両者は、加熱、加振、そして発色団及び光学的カップリング剤の様な治療剤の塗布、の様な追加的治療過程を用いて又は用いずに、口腔内の硬及び／又は軟組織を照射するため使われる。
【００６９】
１実施例では、該光放射歯ブラシ及び／又は光放射マウスピースは、硬及び／又は軟口組織を照射することにより、歯肉出血（ｇｕｍ  ｂｌｅｅｄｉｎｇ）、歯の超敏感性（ｈｙｐｅｒｓｅｎｓｉｔｉｖｉｔｙ）、歯痛、骨問題、エナメル退化（ｅｎａｍｅｌ  ｄｅｇｅｎｅｒａｔｉｏｎ）、カリエス、歯根管炎症（ｒｏｏｔ  ｃａｎａｌ  ｉｎｆｌａｍ
ｍａｔｉｏｎ）、そして歯周問題の様な歯科の問題を治療するため使われる。該治療法は問題範囲の直接照射、そして或る場合は治療で助けるために熱又は発色団の使用を含む。
【００７０】
本発明の更に進んだ特徴として、該口用器具は、該治療の要素（ｐａｒｔ）として多数の個別波長を使用するが、それは多数のバンドは、或る場合、より大きい全体的有効性を提供するからである。例えば、青色光はポルフィリン励起（ｐｏｒｐｈｙｒｉｎ  ｅｘｃｉｔａｔｉｏｎ）で非常に有効であるが、青色光の貫入深さ（ｐｅｎｅｔｒａｔｉｏｎ  ｄｅｐｔｈ）は血液吸収と生物学的組織による光散乱とのために大きくない。青色光を、より容易に組織に貫入するが、ポルフィリン励起効果がより少ない、緑色及び赤色の様な他の波長バンドと組み合わせることにより、全体的治療はもっと効果的になり得る。又多数波長バンドは種々の物質を励起し、幾つかのソースからの生体刺激を作るため使われる。１実施例では、青色及び緑色光はポルフィリンを刺激するため使われる（４００−４３０ｎｍ）一方赤色光（例えば、６３０ｎｍ）及び／又は近赤外線（ＮＩＲ）（例えば、１０６０ｎｍ又は１２６８ｎｍ）は分子性酸素を光活性化するため使われる。或る場合には、この結果はシナージー効果（ｓｙｎｅｒｇｉｓｔｉｃ  ｅｆｆｅｃｔ）を提供する幾つかの療法的治療に依存することによりもっと効果的な全体治療に帰着する。
【００７１】
又本発明の口用器具は、それらが低い線量（ｄｏｓｅ）で繰り返し使われるので、利点を有する。最小回数で行われる高電力治療と異なり、本発明は通常の個人的看護養生法（ｐｅｒｓｏｎａｌ  ｃａｒｅ  ｒｅｇｉｍｅｎ）の部分として使われてもよい。治療を提供するのに有効で、医者又は歯科医を訪問する時間と費用を要しない全体的線量が結果として得られる。
【００７２】
従って、本発明の口用器具により提供される光線療法は多数の異常（ａｂｎｏｒｍａｌｉｔｉｅｓ）及び疾患からの回復及び／又は予防（ｐｒｏｐｈｙｌａｘｅｓ）を提供する。特に、ここで使われる用語“光線療法（ｐｈｏｔｏｔｈｅｒａｐｙ）”は異常の治療とユーザーの生理学の改良との両者を含むよう意図されている。この様な利点のある改良は更に下記で論じられる様に健康と美容の両改良を含む。
【００７３】
歯科（Ｄｅｎｔａｌ）
歯肉出血（ｇｕｍ  ｂｌｅｅｄｉｎｇ）の低減。歯肉出血は殆どが上皮細胞及び他の連結組織（ｃｏｎｎｅｃｔｉｖｅ  ｔｉｓｓｕｅ）の乏しい増殖により引き起こされる。本発明の口用器具は、増加した線維芽細胞増殖を賦活するため光照射とソフトな加熱を提供し、歯肉出血の停止に役立つ上皮、コラーゲンそして他の連結組織の再生を引き起こす。光アクセプターは内因性ポルフィリン、シトクローム、そして分子性酸素を有し、従ってポルフィリン、シトクロームそして分子酸素に対応する波長で、１−１０００ｍＷ／ｃｍ２の電力密度そして０．０６−３０Ｊ／ｃｍ２の１日当たり線量での口の粘液及び下にある組織の照射が好ましい。青色光（４００−４３０ｎｍ）はポルフィリン励起（ｐｏｒｐｈｙｒｉｎ  ｅｘｃｉｔａｔｉｏｎ）用に非常に有効であり、又緑色光（５４０−５８０ｎｍ）と赤色光（６００−６５０ｎｍ）もポルフィリンを賦活出来る。特に、コープロポルフィリン（ｃｏｐｒｏｐｏｒｐｈｙｒｉｎ）は４０２±２０｛最大吸光度（ｅｘｔｉｎｃｔｉｏｎ  ａｔ  ｍａｘｉｍｕｍ）≒４８０｝（以下≒は英語原文の
【数１】
2008522762.tif 000003
を表す）、４９５±２０、５４０±３０（最大吸光度≒１７）、５８０±３０（最大吸光度≒６）、６２３±２０ｎｍの波長で、そしてシトクローム（ｃｙｔｏｃｈｒｏｍｓ）：シトジェム（ｃｙｔｏｇｅｍ）｛シトクロームオキシダーゼ（ｃｙｔｏｃｈｒｏｍｏｘｉｄａｓｅ）のプロテーゼグループ（ｐｒｏｓｔｈｅｔｉｃ  ｇｒｏｕｐ）｝は４１４±２０（最大吸光度≒７０）、４３９±２０（最大吸光度≒１１７）、４４６±２０（最大吸光度≒１０）、５３４±２０（最大吸光度≒１１）、５９８±２０（最大吸光度≒１６）
、６３５±２０ｎｍ（最大吸光度≒９）の波長で、そしてシトポルフィリン（ｃｙｔｏｐｏｒｐｈｙｒｉｎ）は４１５±２０（最大吸光度≒１６０）、５２０±２０（最大吸光度≒９）、５６０±２０（吸光度≒２１）、５８０±２０（最大吸光度≒１１）、６１７±２０、６４６±２０ｎｍ（最大吸光度≒１）の波長で励起（ｅｘｃｉｔｅｄ）され得る。バクテリアで見出されるシトポルフィリンは非常に光感応性（ｐｈｏｔｏｓｅｎｓｉｔｉｖｅ）である。バクテリア及びかびに含まれるプロトポルフィリンＩＸ（Ｐｒｏｔｏｐｏｒｐｈｙｒｉｎ  ＩＸ）は波長４１０±２０（最大吸光度≒２７０），５０４±２０（最大吸光度≒１５），５５６±２０（最大吸光度≒１５），６００±２０（最大吸光度≒６）、６３１±２０ｎｍ（最大吸光度≒５）で励起され得る。
【００７４】
分子性酸素は波長５８０±２０，６３０±２０，７６０±２０，１０６０±２０そして１２６８±２０ｎｍで光活性化される。時間で０．５−３分の、歯のクリーニング手順中の４３℃までのヒーターにより提供される中位の高熱（Ｍｏｄｅｒａｔｅ  ｈｙｐｅｒｔｈｅｍｉａ）も、血液及びリンパの微小循環にシナージー効果を提供するのに望ましい。
【００７５】
歯過敏症の減少（Ｒｅｄｕｃｔｉｏｎ  ｏｆ  ｔｏｏｔｈ  ｈｙｐｅｒｓｅｎｓｉｔｉｖｉｔｙ）。歯の敏感さは殆ど、飲料及び／又は唾液成分により誘起される浸透圧のために、歯内の神経末端に向かってのぞうげ管（ｄｅｎｔｉｎａｌ  ｔｕｂｅｓ）を通る増加した流体移動から生じる。歯過敏症は口内液体ｐＨの低い値により誘起される１時的又は恒久性のエナメルの鉱物質除去（ｄｅｍｉｎｅｒａｌｉｚａｔｉｏｎ）により引き起こされるエナメル多孔質性に依る。口内液のより酸性ｐＨ（４．０−５．０）では、エナメル透過性（ｅｎａｍｅｌ  ｐｅｒｍｅａｂｉｌｉｔｙ）は３−４倍増加する（ｉｎｃｒｅａｓｅｄ  ３−４−ｆｏｌｄ）。従って、エナメルの光誘起された再鉱物質化（ｒｅｍｉｎｅｒａｌｉｚａｔｉｏｎ）の過程が歯過敏症の低減に役立つ。バクテリア殺菌も、ｐＨ正常化と、低下する歯肉膨張と、そして過敏な歯化合物に印加される低下した浸透圧と、により歯過敏症の低減へ導く。従って、ポルフィリン、シトクローム、そして分子性酸素に対応する波長での、１−１０００ｍＷ／ｃｍ２の電力密度で１日当たり線量０．０６−３０Ｊ／ｃｍ２での歯表面への照射が好ましい。青色光（４００−４３０ｎｍ）はバクテリアポルフィリン励起に非常に効果的であり、緑色光（５３０−５８０ｎｍ）と赤色光（６００−７００ｎｍ）も又バクテリア内のポルフィリンを賦活出来て、基発生を介してそれらを殺菌することが出来る。緑色光（５４０−５８０ｎｍ）と赤色光（６００−６５０ｎｍ）は歯髄ポルフィリンを賦活し、歯髄内の血液及びリンパの微小循環を増すことが出来て、ハイドロオキシアパタイト構造内の空虚を充たすようカルシウムイオンを助ける、歯髄からタンパク質マトリックスを通りエナメルへのカルシウムイオンフラックスの対応する増加を来す。組織及び歯髄内に熔けた分子性酸素は波長５８０±２０，６３０±２０，７６０±２０，１０６０±２０そして１２６８±２０ｎｍで光活性化される。又ヒーターにより提供される中位の高熱は血液及びリンパの微小循環にシナージー効果を提供する。より有効なバクテリア殺菌は、外因的発色団の塗布と該発色団に対応する波長での照射により達成され、特に、０．０１−１．０％濃度のメチレンブルー（Ｍｅｔｈｙｌｅｎｅ  Ｂｌｕｅ）｛エムビー（ＭＢ）｝染料についての６６０±１０ｎｍで５−１０００ｍＷ／ｃｍ２の電力密度での照射、又は０．０１−１．０％の濃度のインドシアニングリーン（Ｉｎｄｏｃｙａｎｉｎｅ  Ｇｒｅｅｎ）｛アイシージー（ＩＣＧ）｝染料についての８０５±５ｎｍで５−１０００ｍＷ／ｃｍ２の電力密度での照射で達成される。
【００７６】
歯の痛み低減（Ｐａｉｎ  ｒｅｄｕｃｔｉｏｎ  ｉｎ  ｔｏｏｔｈ）は、管壁の内皮細胞への光励起のＮＯの作用と、光減衰された交感神経性血管神経活動と、により誘起される血管及び／又はリンパ管の拡張により引き起こされる改良された歯髄の血液及びリンパ微小循環に殆ど依存する。直接光で誘起される神経活動の阻止も可能である。従って、ポルフィリン、シトクロームそして分子性酸素に対応する波長での１−１０００ｍＷ／ｃｍ２の電力密度で、１日当たり線量０．０６−３０Ｊ／ｃｍ２の歯表面照射が必要である。
緑色（５３０−５８０ｎｍ）及び赤色（６００−６５０ｎｍ）の光は歯髄ポルフィリンを賦活し、歯髄内の血液及びリンパの微小循環を増すことが出来る。組織及び歯髄内に溶解した分子性酸素は波長５８０±２０，６３０±２０，７６０±２０、１０６０±２０そして１２６８±２０ｎｍで光活性化される。時間で０．５−３分の歯クリーニング手順中の４３℃までの電気ヒーター（又はＬＥＤ放射加熱）により提供される中位の高熱は、血液及びリンパの微小循環へのシナージー効果を得るのに望ましい。
【００７７】
歯周及び骨の再生（Ｐｅｒｉｏｄｏｎｔａｌ  ａｎｄ  ｂｏｎｅ  ｒｅｇｅｎｅｒａｔｉｏｎ）とインプラント結合（ｉｍｐｌａｎｔ  ｃｏｎｎｅｃｔｉｏｎ）は光及び／又は光と熱の組み合わせ作用により誘起される、マクロフアージ活動、線維芽細胞、骨芽細胞そしてぞうげ芽細胞増殖、の増加により殆どが引き起こされる。又増加した血液及びリンパの微小循環は組織の成長及び再生を改善する。ポルフィリン、シトクロームそして分子性酸素に対応する波長での、１−１０００ｍＷ／ｃｍ２の電力密度と０．０６−３０Ｊ／ｃｍ２の１日当たり線量での歯及び歯周組織の照射は、増加したマクロフアージ活動、増加した線維芽細胞、骨芽細胞そしてぞうげ芽細胞の増殖、そして増加した血液及びリンパの微小循環の責めを負う基を作る。青色光（４００−４３０ｎｍ）はポルフィリン励起に非常に効果的であり、緑色光（５３０−５８０ｎｍ）と赤色光（６００−６５０ｎｍ）はポルフィリンを賦活することが出来る。緑色（５３０−５８０ｎｍ）及び赤色光（６００−６５０ｎｍ）は歯髄ポルフィリンを賦活することが出来る。分子性酸素は波長５８０±２０，６３０±２０，７６０±２０，１０６０±２０そして１２６８±２０ｎｍで光活性化される。時間で０．５−３分の歯クリーニング手順中の、４３℃までの特殊ヒーター（又はＬＥＤ電流加熱）により提供される中位の高熱は、マクロフアージ活動、線維芽細胞、骨芽細胞そしてぞうげ芽細胞の増殖、そして増加した血液及びリンパの微小循環、でシナージー効果を得るために望ましい。
【００７８】
エナメルの再鉱物質化（Ｒｅｍｉｎｅｒａｌｉｚａｔｉｏｎ  ｏｆ  ｅｎａｍｅｌ）。エナメルの鉱物質除去（ｄｅｍｉｎｅｒａｌｉｚａｔｉｏｎ）は殆どは口内液体ｐＨの低い値により誘起される。光とソフト加熱（ｓｏｆｔ  ｈｅａｔｉｎｇ）は歯肉の血液及びリンパの微小循環を賦活し、従って唾液からタンパク質マトリックスを通りエナメルまでのカルシウムイオンフラックスを増加させ、カルシウムイオンがハイドロオキシアパタイト構造内の空虚を充たす。バクテリア殺菌はｐＨ正常化へ導き、従ってエナメル鉱物質除去を防止する。それ故、ポルフィリン、シトクロームそして分子性酸素に対応する波長で、１−１０００ｍＷ／ｃｍ２の電力密度と０．０６−３０Ｊ／ｃｍ２の１日当たり線量での歯表面照射が必要である。青色光（４００−４３０ｎｍ）はバクテリアポルフィリン励起用に非常に効果的であり、緑色光（５３０−５８０ｎｍ）と赤色光（６００−６５０ｎｍ）も又バクテリア内のポルフィリンを賦活し、基発生を介してそれらを殺菌することが出来る。緑色光（５３０−５８０ｎｍ）と赤色光（６００−６５０ｎｍ）は歯髄ポルフィリンを賦活し、歯髄内の血液及びリンパの微小循環と、カルシウムイオンがハイドロオキシアパタイト構造の空虚を充たすのを助ける、歯髄からタンパク質マトリックスを通りエナメルまでのカルシウムイオンフラックスの対応する増加と、を高めることが出来る。組織及び歯髄内に熔けた分子性酸素は波長５８０±２０，６３０±２０，７６０±２０、１０６０±２０そして１２６８±２０ｎｍで光活性化される。時間で０．５−３分の歯クリーニング手順中の４３℃までの、特殊ヒーター（又はＬＥＤ電流加熱）により提供される中位の高熱は、血液及びリンパの微小循環へのシナージー効果を得るため望ましい。音響泳動（Ｓｏｎｏｐｈｏｒｅｓｉｓ）及び／又は電気泳動（ｅｌｅｃｔｒｏｐｈｏｒｅｓｉｓ）は、血液及びリンパの流れの増大と、硬歯組織内のＣａ及びＰ元素のよりスムーズな配分と、に役立つ。より有効なバクテリア殺菌（必要ならば）は、外因的発色団の塗布と、該発色団に対応する波長での照射と、により達成され、特に、０．０１−１．０％濃度のメチレンブルー（Ｍｅｔｈｙｌｅｎｅ  Ｂｌｕｅ）｛エムビー（ＭＢ）｝染料についての６６０±１０ｎｍで５−１０００ｍＷ／ｃｍ２の電力密度での照射、又は０．０１ー１
．０％の濃度のインドシアニングリーン（Ｉｎｄｏｃｙａｎｉｎｅ  Ｇｒｅｅｎ）｛アイシージー（ＩＣＧ）｝染料についての８０５±５ｎｍで５−１０００ｍＷ／ｃｍ２の電力密度での照射で達成される。
【００７９】
ストレプトコクスムタント（Ｓｔｒｅｐｔｏｃｏｃｃｕｓ  ｍｕｔａｎｔｓ）バクテリアにより通常殆どが引き起こされるカリエスの予防（Ｐｒｅｖｅｎｔｉｏｎ  ｏｆ  ｃａｒｉｅｓ）。光と、内因性ポルフィリン、及び／又はシトクローム、及び／又は分子性酸素、及び／又は外因的染料、及び／又は鉱物性光増感剤（ｍｉｎｅｒａｌ  ｐｈｏｔｏｓｅｎｓｉｔｉｚｅｒｓ）、及び／又は口腔内に組み込まれた鉱物性光触媒、により誘起される光力学的効果を介したバクテリア殺菌が、カリエスの予防と治癒のための技術である。光及び熱で誘起された歯髄及び歯肉内の血液及びリンパの微小循環と、唾液からエナメルまでの増加したカルシウムフラックス（ｃａｌｃｉｕｍ  ｆｌｕｘ）と、も又カリエスを防止する。従って、ポルフィリン、シトクロームそして分子性酸素に対応する波長での、１−１０００ｍＷ／ｃｍ２の電力密度と０．０６−３０Ｊ／ｃｍ２の１日当たり線量での歯表面の照射が必要である。青色光（４００−４３０ｎｍ）はバクテリアポルフィリン励起用に非常に効果的であり、緑色光（５３０−５８０ｎｍ）と赤色光（６００−６５０ｎｍ）も又バクテリア内のポルフィリンを賦活し、基発生を介してそれらを殺菌することが出来る。緑色光（５４０−５８０ｎｍ）と赤色光（６００−６５０ｎｍ）は歯髄ポルフィリンを賦活し、歯髄内の血液及びリンパの微小循環と、カルシウムイオンがハイドロオキシアパタイト構造の空虚を充たすのを助ける歯髄からタンパク質マトリックスを通りエナメルまでのカルシウムイオンフラックスの対応する増加と、を高めることが出来る。組織及び歯髄内に熔けた分子性酸素は波長５８０±２０，６３０±２０，７６０±２０、１０６０±２０そして１２６８±２０ｎｍで光活性化される。時間で０．５−３分の歯クリーニング手順中の４３℃までの特殊ヒーター（又はＬＥＤ電流加熱）により提供される中位の高熱は、血液及びリンパの微小循環へのシナージー効果を得るため望ましい。音響泳動及び／又は電気泳動は、血液及びリンパの流れの拡大と、硬歯組織内のＣａ及びＰ元素のよりスムーズな配分と、に役立つ。より有効なバクテリア殺菌（もし必要なら）が、外因的発色団の塗布と該発色団に対応する波長での照射と、により達成され、特に、０．０１−１．０％濃度のメチレンブルー（Ｍｅｔｈｙｌｅｎｅ  Ｂｌｕｅ）｛エムビー（ＭＢ）｝染料についての６６０±１０ｎｍで５−１００ｍＷ／ｃｍ２の電力密度での照射、又は０．０１ー１．０％の濃度のインドシアニングリーン（Ｉｎｄｏｃｙａｎｉｎｅ  Ｇｒｅｅｎ）｛アイシージー（ＩＣＧ）｝染料についての８０５±５ｎｍで５−１００ｍＷ／ｃｍ２の電力密度での照射で達成される。非常に有効で非特定的なシングレット酸素（ｓｉｎｇｌｅｔ  ｏｘｙｇｅｎ）及び他の基（ｒａｄｉｃａｌ）の生産が、カーボンブラック、フラーレン（ｆｕｌｌｅｒｅｎｅ）、又はチューブレン（ｔｕｂｕｌｅｎｅ）の様なカーボンナノ粒子又はナノチューブの広帯域（３００−９００ｎｍ）励起、及び／又はエムビー（ＭＢ）及び／又はアイシージー（ＩＣＧ）染料との混合物でのＴｉＯ２ナノ粒子の様な光触媒の塗布、で提供される。
【００８０】
歯根管殺菌（Ｒｏｏｔ  ｃａｎａｌ  ｓｔｅｒｉｌｉｚａｔｉｏｎ）と炎症予防（ｉｎｆｌａｍｍａｔｉｏｎ  ｐｒｅｖｅｎｔｉｏｎ）も又、光と、内因性ポルフィリン、特にプロトポルフィリンＩＸ、及び／又は分子性酸素、及び／又は歯髄内に組み込まれた外因的染料と、により誘起される光力学的効果で、局所的血液及びリンパ微小循環を介して実現される。導波路伝播（ｗａｖｅｇｕｉｄｅ  ｐｒｏｐａｇａｔｉｏｎ）により、光は、歯髄に集中され、従って光力学的効率を高め、歯髄の血液及びリンパの微小循環を賦活する。又光は微生物に対しホスト防御（ｈｏｓｔ  ｄｅｆｅｎｓｅ）の責めを負うＳＯ及びＮＯを作る、マクロフアージの免疫適格性を改善する。従って、ポルフィリン、シトクロームそして分子性酸素に対応する波長で、１−１０００ｍＷ／ｃｍ２の電力密度と０．０６−３０Ｊ／ｃｍ２の１日当たり線量での歯表面の照射が必要である。緑色光（５４０−５８０ｎｍ）と赤色光（６００−６５０ｎｍ）は、バクテリアの殺菌、マクロフアージ免
疫適格性の改善そして歯髄内の増加した血液及びリンパの微小循環、のための基を作るよう歯髄ポルフィリンを賦活することが出来る。組織及び歯髄内に熔けた分子性酸素は波長５８０±２０，６３０±２０，７６０±２０、１０６０±２０そして１２６８±２０ｎｍで光活性化される。時間で０．５−３分の歯クリーニング手順中の４３℃までの特殊ヒーター（又はＬＥＤ電流加熱）により提供される中位の高熱は、血液及びリンパの微小循環へのシナージー効果を得るため望ましい。音響泳動及び電気泳動は血液及びリンパの流れの増大に役立つ。歯根管とアペックス範囲に貫入する光はバクテリア成長に付随する炎症を予防又は減少させる。
【００８１】
歯周炎問題の予防と治癒（Ｐｅｒｉｏｄｏｎｔａｌ  ｐｒｏｂｌｅｍ  ｐｒｅｖｅｎｔｉｏｎ  ａｎｄ  ｈｅａｌｉｎｇ）も又、歯周部病変（ｐｅｒｉｏｄｏｎｔａｌ  ｌｅｓｉｏｎｓ）に組み込まれた、内因性ポルフィリン、及び／又は分子性酸素、及び／又は外因的染料、及び／又は鉱物性光増感剤、及び／又は鉱物性光触媒、の励起により、活性（シングレット）酸素及び他の基の生産を介した、バクテリアへの光の致命的効果（ｌｅｔｈａｌ  ｅｆｆｅｃｔ）に依る。又光は、微生物に対しホスト防護の責めを負うＳＯとＮＯを作るマクロフアージの免疫適格性を改善する。光とソフトな加熱とは血液とリンパの微小循環を賦活し、従って内皮細胞増殖能（ｅｎｄｏｔｈｅｌｉｏｃｙｔｅｓ  ｐｒｏｌｉｆｅｒａｔｉｖｅ  ｐｏｔｅｎｃｙ）と、歯に取り付けられた歯肉の維持を助ける新しい網細血管の形成と、を賦活する。従って、光電力密度、１日当たり線量そして波長はカリエスの予防用に用いられたと同じである（カリエスの予防参照）。
【００８２】
軟組織治療（Ｓｏｆｔ  Ｔｉｓｓｕｅ  Ｔｒｅａｔｍｅｎｔｓ）
本発明の口用器具のもう１つの利点は、それらが方向性放射（ｄｉｒｅｃｔｉｏｎａｌ
ｒａｄｉａｔｉｎｇ）を可能にしたことである。下記で論じられる幾つかの場合では、舌組織、神経組織、咽喉組織（ｔｈｒｏａｔ  ｔｉｓｓｕｅ）、血管組織（ｖａｓｃｕｌａｒ  ｔｉｓｓｕｅ）、毛包（ｈａｉｒ  ｆｏｌｌｉｃｌｅｓ）、皮脂腺（ｓｅｂａｃｅｏｕｓ  ｆｏｌｌｉｃｌｅｓ）、脂腺（ｓｅｂａｃｅｏｕｓ  ｇｌａｎｄ）、顔面皮下脂肪、顔面筋肉組織、リンパシステム、コラーゲン、色素沈着スポット（ｐｉｇｍｅｎｔｅｄ  ｓｐｏｔ）及び／又は他の顔面組織及び他の口の組織を含む他の組織、の様な主として軟組織を光学的に照射することが望ましい。該口用器具は、その光学的放射が放出される方向を選ぶことにより放射をこれらの組織範囲に向けることを可能にする。例えば、顔面組織を照射するために、光学的放射ソースは光放射歯ブラシ又は光放射マウスピースの外周上に位置付けられる。ブリスルの方向のみに放射する（波の硬組織に向かって）従来の歯ブラシと異なり、これらの器具により提供される放射は、放出される放射が、ユーザーの柔らかい顔面組織内の領域へ光線療法を送ために口腔の粘膜ライニング（ｍｕｃｏｓａｌ  ｌｉｎｉｎｇ）に貫入するよう向けられ得る。
【００８３】
加えて、本発明の口用器具は、過去には口腔の外から治療されて来た、幾つかの状態が、該口腔の内部の光学的放射ソースを使うことにより治療されることを可能にした。例えば、影響される皮膚を照射することによりアクネ（ａｃｎｅ）を治療する代わりに、該口用器具は口腔内から目標組織に向かって直接照射する。これは、口腔の組織壁内に含まれるコラーゲンの限られた量のために、口腔内の組織は貫入するのがより容易であるので、有利である。結果として、光学的エネルギーはより容易に組織に貫入し、より低いエネルギーレベルで治療を提供し、組織損傷の危険を減じる。このタイプの治療用に好ましい波長範囲は約２８０ｎｍから１４００ｎｍの範囲に、なおもっと好ましくは５９０ｎｍ−１３００ｎｍの範囲にある。
【００８４】
口の粘液病変（ｏｒａｌ  ｍｕｃｕｓ  ｌｅｓｉｏｎｓ）に組み込まれた、内因性ポルフィリン、及び／又は分子性酸素、及び／又は外因的染料、及び／又は鉱物性光増感剤、及び／又は鉱物性光触媒、の励起により、活性（シングレット）酸素及び他の基の生産を
介したウイルス及びバクテリアへの光の致命的効果に依る口の粘液の炎症疾患（ｏｒａｌ
ｍｕｃｕｓ  ｉｎｆｌａｍｍａｔｏｒｙ  ｄｉｓｅａｓｅ）の改善｛口内炎（ｓｔｏｍａｔｉｔｉｓ）−口の角の皮相的浸食と裂溝（ｆｉｓｓｕｒｉｎｇ）、ヘルペスシンプレックスウイルス（ｈｅｒｐｅｓ  ｓｉｍｐｌｅｘ  ｖｉｒｕｓ）による嚢（ｖｅｓｉｃｌｅ）形成を伴う口粘膜の急性感染（ａｃｕｔｅ  ｉｎｆｅｃｔｉｏｎ）、頬、舌及び唇上の浅い潰瘍（ｕｌｃｅｒｓ）を伴う口内炎｝。又光は、微生物に対しホスト防護の責めを負うＳＯとＮＯを作る、マクロフアージの免疫適格性を改善する。光とソフトな加熱とは血液とリンパの微小循環を賦活し、従って上皮細胞増殖能を賦活する。光電力密度、１日当たり線量そして波長はカリエスの予防用に用いられたと同じである（カリエスの予防参照）。
【００８５】
舌病変（ｔｏｎｇｕｅ  ｌｅｓｉｏｎ）に組み込まれた、内因性ポルフィリン、及び／又は分子性酸素、及び／又は外因的染料、及び／又は鉱物性光増感剤、及び／又は鉱物性光触媒、の励起により、活性（シングレット）酸素及び他の基の生産を介した、微生物への光の致命的効果に依る舌疾患（Ｔｏｎｇｕｅ  ｄｉｓｅａｓｅｓ）｛黒舌症（ｂｌａｃｋ  ｔｏｎｇｕｅ）−微生物と幾らかの色素を有する肥大性糸状乳頭（ｈｙｐｅｒｔｒｏｐｈｉｅｄ  ｆｉｌｉｆｏｒｍ  ｐａｐｉｌｌａｅ）から成る茶色の白苔状パッチ（ｆｕｒ−ｌｉｋｅ  ｐａｔｃｈ）の舌背（ｄｏｒｓｕｍ  ｏｆ  ｔｈｅ  ｔｏｎｇｕｅ）上の存在、コートされた舌（ｃｏａｔｅｄ  ｔｏｎｇｕｅ）−剥離上皮（ｄｅｓｑｕａｍａｔｅｄ  ｅｐｉｔｈｅｌｉｕｍ）、残屑（ｄｅｂｒｉｓ）、バクテリア、黴他から成る白気味又は黄色気味の層でカバーされた舌｝の改善。光は又、微生物に対しホスト防護の責めを負うＳＯとＮＯを作る、マクロフアージの免疫適格性を改善する。光とソフトな加熱と、は血液とリンパの微小循環を賦活し、従って上皮細胞増殖能を賦活する。光電力密度、１日当たり線量そして波長はカリエスの予防用に用いられたと同じである（カリエスの予防参照）。
【００８６】
唾液腺（ｓａｌｉｖａｒｙ  ｇｌａｎｄ）と、口内で舌下ひだ（ｓｕｂｌｉｎｇｕａｌ
ｆｏｌｄ）上に開く小舌下管（ｓｍａｌｌ  ｓｕｂｌｉｎｇｕａｌ  ｄｕｃｔｓ）｛リビナス（Ｒｉｖｉｎｕｓ）の管｝の炎症からの回復。口内炎及び舌損傷に関すると同じ回復機構が期待される。光電力密度、１日当たり線量、そして波長はカリエスの予防用に使われたと同じである（カリエスの予防参照）。
【００８７】
口組織の痛さ低減は、管壁の内皮細胞への光励起されたＮＯの作用と、光減衰された交感神経性血管神経活動と、により誘起される血管及び／又はリンパ管の拡張により引き起こされる改良された血液及びリンパの微小循環から大抵は生じる。神経活動の直接光誘起された阻止も可能である。光電力密度、１日当たり線量、及び波長は歯痛低減用に用いられたと同じである（歯の痛み低減参照）。
【００８８】
黄色ブドウ球菌（Ｓｔａｐｈｙｌｏｃｏｃｃｕｓ  ａｕｒｅｕｓ）バクテリアの成長により殆どが引き起こされる咽喉炎（ｓｏｒｅ  ｔｈｒｏａｔ）、アンギナ（ａｎｇｉｎａ）、急性及び慢性扁桃炎（ａｃｕｔｅ  ａｎｄ  ｃｈｒｏｎｉｃ  ｔｏｎｓｉｌｌｉｔｉｓ）、の改善｛扁桃腺（ｔｏｎｓｉｌｓ）、特に口蓋扁桃（ｐａｌａｔｉｎｅ  ｔｏｎｓｉｌｓ）の扁桃炎炎症（ｔｏｎｓｉｌｌｉｔｉｓ  ｉｎｆｌａｍｍａｔｉｏｎ）、小包扁桃炎（ｆｏｌｌｉｃｕｌａｒ  ｔｏｎｓｉｌｌｉｔｉｓ）、特に陰窩（ｃｒｙｐｔ）に影響する扁桃炎、実質（ｐａｒｅｎｃｈｙｍａｔｏｕｓ）の扁桃炎、扁桃の全物質に影響する急性扁桃炎、膿包性扁桃炎（ｐｕｓｔｕｌａｒ  ｔｏｎｓｉｌｌｉｔｉｓ）、膿包（ｐｏｓｔｕｌｅｓ）の形成に依り特徴付けられる種類｝。この様な改善は、扁桃腺病変（ｔｏｎｓｉｌ  ｌｅｓｉｏｎｓ）に組み込まれた、内因性ポルフィリン、及び／又は分子性酸素、及び／又は外因的染料、及び／又は鉱物性光増感剤、及び／又は鉱物性光触媒、の励起により、活性（シングレット）酸素及び他の基の生産を介したバクテリアへの光の致
命的効果に依る。又光は、微生物に対しホスト防護の責めを負うＳＯとＮＯを作るマクロフアージの免疫適格性を改善する。光とソフトな加熱と、は血液とリンパの微小循環を賦活し、従って上皮細胞増殖能を賦活する。光電力密度、１日当たり線量そして波長はカリエスの予防用に用いられたと同じである（歯科、６参照）。増殖する細胞内でポルフィリンの誘導体、エイエルエイ（ＡＬＡ）の低濃度を用いた、６２０−６４０ｎｍ励起での、エイエルエイ関連治療（ＡＬＡ  ｒｅｌａｔｅｄ  ｔｒｅａｔｍｅｎｔ）が口組織（歯肉、腺、舌、咽喉他）内の非正常増殖、又は口粘膜上皮細胞、腺成長、微生物コロニーの抑制に使われる。特に、咽頭真菌症（ｐｈａｒｙｎｇｏｍｙｃｏｓｉｓ）の治療が提供される。
【００８９】
大抵、肺炎連鎖球菌（Ｓｔｒｅｐｔｏｃｏｃｃｕｓ  ｐｎｅｕｍｏｎｉａｅ）バクテリアにより引き起こされる副鼻腔炎（Ｓｉｎｕｓｉｔｉｓ）。アンギナ及び扁桃炎用と同じ回復機構。光電力密度、１日当たり線量、及び波長はカリエスの予防用に用いられたと同じである（カリエスの予防参照）。
【００９０】
咽頭炎（ｌａｒｙｎｇｉｔｉｓ）及び声帯（ｖｏｃａｌ  ｃｏｒｄ）の他の炎症からの回復。アンギナ、扁桃炎そして副鼻腔炎用と同じ回復機構。光電力密度、１日当たり線量、及び波長はカリエス用に用いられたと同じである（カリエスの予防参照）。
【００９１】
光及び／又は光と熱の作用の組み合わせにより誘起された、増加したマクロフアージと線維芽細胞増殖活動と新コラーゲン生産を介した唇及び頬付近の、皮膚の組織（ｓｋｉｎ
ｔｅｘｔｕｒｅ）、弾性（ｅｌａｓｔｉｃｉｔｙ）の改良及びしわ減少（ｗｒｉｎｋｌｅ  ｒｅｄｕｃｔｉｏｎ）。増加した血液及びリンパの微小循環は又組織成長と再生を改善する。光電力密度、１日当たり線量、及び波長は歯周及び骨の再生とインプラント結合用に用いられたと同じである（歯周及び骨の再生とインプラント結合を参照）。
【００９２】
アクネ（ａｃｎｅ）の改善。赤色光の大きい貫入深さにために、皮脂腺（ｓｅｂａｃｅｏｕｓ  ｇｌａｎｄｓ）内に集中しアクネを引き起こすバクテリアへの致命的光効果用に、頬組織を通して必要な照射線量を皮脂腺へ提供することは可能である。バクテリアポルフィリンの光励起はこれらバクテリアを選択的に殺菌する活性（シングレット）酸素と他の基を発生する。従って、バクテリアポルフィリンに対応する波長で、１−１０００ｍＷ／ｃｍ２の電力密度と０．０６−３０Ｊ／ｃｍ２の１日当たり線量での口腔内の頬の照射が望ましい。緑色光（５３０−５８０ｎｍ）と赤色光（６００−６５０ｎｍ）は頬組織を通して貫入し、バクテリアを殺菌する基を作るためアクネバクテリアポルフィリンを賦活する。アクネ治療効率は赤色及び／又は近赤外線放射の使用と組み合わせた該アクネ損傷への適当な光増感剤｛例えば、メチレンブルー、インドシアニングリーン、エイエルエイ（ＡＬＡ）、他｝の塗布により高められる。
【００９３】
毛の成長制御は光及び／又は光と熱の作用の組み合わせにより、毛の小包（ｈａｉｒ  ｆｏｌｌｉｃｌｅｓ）内の血液及びリンパの微小循環の正常化で提供される。ポルフィリン、シトクロームそして分子性酸素に対応する波長で、１−１０００ｍＷ／ｃｍ２の電力密度と０．０６−３０Ｊ／ｃｍ２の１日当たり線量での口腔組織の照射は、脈管拡張と、血液及びリンパの微小循環の対応する増大の責めを負う基を作る。緑色光（５３０−５８０ｎｍ）と赤色光（６００−６５０ｎｍ）は頬組織を通るよう貫入し、ポルフィリン及びシトクロームを賦活する。分子性酸素は波長５８０±２０，６３０±２０，７６０±２０、１０６０±２０そして１２６８±２０ｎｍで光活性化される。時間で０．５−３分の歯クリーニング手順中の４３℃までの特殊ヒーター（又はＬＥＤ電流加熱）により提供される中位の高熱は、血液及びリンパの微小循環の増加でのシナージー効果を得るために望ましい。毛の成長制御は、例えば、放射の１つ又は時間依存のシーケンスを用いて、多数の毛の小包を選択的に破壊することによる、例えば、毛の除去又は低減を含んでいる。
【００９４】
脈管の改善（Ｖａｓｃｕｌａｒ  ｉｍｐｒｏｖｅｍｅｎｔ）は、光及び／又は光と熱の作用の組み合わせにより誘起される、増加したマクロフアージ及び線維芽細胞増殖の活動と、新コラーゲン及び上皮生産と、に付随している。ポルフィリン、シトクロームそして分子性酸素に対応する波長で、１−１０００ｍＷ／ｃｍ２の電力密度と０．０６−３０Ｊ／ｃｍ２の１日当たり線量での口腔組織の照射はマクロフアージ活動の増加、線維芽細胞増殖、及びコラーゲン成長の責めを負う基を作る。緑色光（５３０−５８０ｎｍ）と赤色光（６００−６５０ｎｍ）は頬組織を通るよう貫入し、組織ポルフィリンとシトクロームを賦活する。分子性酸素は波長５８０±２０，６３０±２０，７６０±２０、１０６０±２０そして１２６８±２０ｎｍで光活性化される。時間で０．５−３分の手順中の４３℃までの特殊ヒーター（又はＬＥＤ電流加熱）により提供される中位の高熱は、マクロフアージ活動、線維芽細胞増殖、及びコラーゲン成長のシナージー効果を得るために望ましい。
【００９５】
口周囲（Ｐｅｒｉｏｒａｌ）の皮膚炎（ｄａｒｍａｔｉｔｉｓ）治療はマクロフアージの光改善された免疫適格性と、光賦活された血液及びリンパ微小循環で引き起こされた表皮（ｅｐｉｄｅｒｍａｌ）細胞増殖能に依る。ポルフィリン、シトクロームそして分子性酸素に対応する波長で、１−１０００ｍＷ／ｃｍ２の電力密度と０．０６−３０Ｊ／ｃｍ２の１日当たり線量での口腔組織の照射は、増加するマクロフアージ活動と増加する血液及びリンパの微小循環の責めを負う基を作る。緑色光（５３０−５８０ｎｍ）と赤色光（６００−６５０ｎｍ）は頬組織を通るよう貫入し、ポルフィリンとシトクロームを賦活する。分子性酸素は波長５８０±２０，６３０±２０，７６０±２０、１０６０±２０そして１２６８±２０ｎｍで光活性化される。時間で０．５−３分の手順中の４３℃までの特殊ヒーター（又はＬＥＤ電流加熱）により提供される中位の高熱は、マクロフアージ活動と血液及びリンパの微小循環の増加とのシナージー効果を得るために望ましい。
【００９６】
歯肉、歯、唇そして舌を含む口腔組織及び口の組織の機能を制御する他の神経の中の損傷した三叉顔面神経（ｔｒｉｇｅｍｉｎａｌ  ｆａｃｉａｌ  ｎｅｒｖｅ）周辺レセプター（ｐｅｒｉｐｈｅｒａｌ  ｒｅｃｅｐｔｏｒｓ）の修復は神経細胞ミトコンドリア（ｎｅｕｒａｌ  ｃｅｌｌ  ｍｉｔｏｃｈｏｎｄｒｉａ）内のＣａ２＋蓄積により引き起こされ、これら細胞内のＣａ２＋依存のエイテーパーゼ（ＡＴＰａｓｅ）の賦活により追随される。光及び／又は光と熱の組み合わされた作用、により誘起される血液及びリンパの微小循環の増加も神経組織再生に重要である。光電力密度、１日当たり線量そして波長は口周囲（ｐｅｒｉｏｒａｌ）の皮膚炎（ｄｅｒｍａｔｉｔｉｓ）治療用で使われたと同じである（口周囲の顔面皮膚を参照）。
【００９７】
口の組織の痛み低減は、大抵は、脈管壁の内皮細胞への光で刺激されたＮＯ作用と、光で減衰された交感神経性血管神経活動と、により誘起される血管及び／又はリンパ管の拡張により引き起こされる改善された血液とリンパの微小循環から生じる。又直接光に誘起される神経活動阻止も起こり得る。下記神経がその過程に含まれるが、それらは、口の隅（ｎｏｏｋ）の口粘膜及び頬皮膚を神経支配（ｉｎｎｅｒｖａｔｅ）する頬神経（ｂｕｃｃａｌ  ｎｅｒｖｅ）、歯、骨膜（ｐｅｒｉｏｓｔｅｕｍ）及び歯肉を神経支配する下、上歯槽神経（ｉｎｆｅｒｉｏｒ  ａｎｄ  ｓｕｐｅｒｉｏｒ  ａｌｖｅｏｌａｒ  ｎｅｒｖｅｓ）、咽喉（ｇｕｌｌｅｔ）、舌及びおとがい−舌筋肉（ｃｈｉｎ−ｔｏｎｇｕｅ  ｍｕｓｃｌｅ）そして口腔底粘膜（ｏｒａｌ  ｃａｖｉｔｙ  ｂｏｔｔｏｍ  ｍｕｃｏｓａ）を神経支配する舌咽、舌下及び舌神経（ｇｌｏｓｓｏｐｈａｒｙｎｇｅａｌ、ｈｙｐｏｇｌｏｓｓａｌ  ａｎｄ  ｌｉｎｇｕａｌ  ｎｅｒｖｅｓ）、咽喉筋肉（ｇｕｌｌｅｔ
ｍｕｓｃｌｅｓ）及び粘膜を神経支配する下、反回及び上咽喉神経（ｉｎｆｅｒｉｏｒ，ｒｅｃｕｒｒｅｎｓ  ａｎｄ  ｓｕｐｅｒｉｏｒ  ｌａｒｙｎｇｅａｌ  ｎｅｒｖｅｓ）、そしゃく筋（ｍａｓｔｉｃａｔｏｒｙ  ｍｕｓｃｌｅ）を神経支配する咬筋神経（ｍ
ａｓｓｅｔｅｒｉｃ  ｎｅｒｖｅ）、である。光電力密度、１日当たり線量そして波長は歯科痛み低減用で使われたと同じである（歯の痛み低減を参照）。
【００９８】
特に超酸化物及び一酸化窒素、赤血球（ｅｒｙｔｈｒｏｃｙｔｅ）膜弾性及びリンパ球（ｌｙｍｐｈｃｙｔｅ）増殖活動、をもたらす血液及びリンパマクロフアージの光で改善された免疫適格性、に依る人間生物免疫適格性（ｈｕｍａｎ  ｏｒｇａｎｉｓｍ  ｉｍｍｕｎｏｃｏｍｐｅｔｅｎｃｅ）への有利な影響。光アクセプターは内皮ポルフィリン、シトクローム及び分子性酸素である。従って、血管により良く供給された口の粘液と下にある組織との照射はポルフィリン、シトクロームそして分子性酸素に対応する波長で、１−１０００ｍＷ／ｃｍ２の電力密度と０．０６−３０Ｊ／ｃｍ２の１日当たり線量で行われるべきである。青色光（４００−４３０ｎｍ）はポルフィリン励起用に非常に有効であり、又緑色光（５３０−５８０ｎｍ）と赤色光（６００−６５０ｎｍ）もポルフィリンを賦活出来る。特に、コープロポルフィリンは波長、４０２±２０（最大吸光度≒４８０）、４９５±２０、５４０±３０（最大吸光度≒１７）、５８０±３０（最大吸光度≒６）、６２３±２０ｎｍで、そしてシトクローム：シトジェムは４１４±２０（最大吸光度≒７０）、４３０±２０（最大吸光度≒１１７）、４４６±２０（最大吸光度≒１０）、５３４±２０（最大吸光度≒１１）、５９８±２０（最大吸光度≒１６）、６３５±２０ｎｍ（最大吸光度≒９）で、そしてシトポルフィリン｛ポルフィリンａ｝は４１５±２０（最大吸光度≒１６０）、５２０±２０（最大吸光度≒９）、５６０±２０（吸光度≒２１）、５８０±２０（最大吸光度≒１１）、６１７±２０、６４６±２０ｎｍ（最大吸光度≒１）、で励起され得る。プロトポルフィリンＩＸは波長、４１０±２０（最大吸光度≒２７０），５０４±２０（最大吸光度≒１５），５５６±２０（最大吸光度≒１５），６００±２０（最大吸光度≒６）、６３１±２０ｎｍ（最大吸光度≒５）で励起され得る。分子性酸素は波長、５８０±２０，６３０±２０，７６０±２０，１０６０±２０，そして１２６８±２０ｎｍで光活性化される。
【００９９】
日周期リズム（ｃｉｒｃａｄｉａｎ  ｒｈｙｔｈｍ）の制御。４７０ｎｍの青色光は人間の日周期リズムに影響し、生物学的リズムの破壊を受けたどんな人にも適用可能である。起こり得る光アクセプターは血液ビリルビン及び／又はコープロポルフィリンである。血管により良く供給された口内粘液及び下にある組織の光照射は、ビリルビン吸収（４５５±２０ｎｍ）及び／又はコープロポルフィリンＩ及びＩＩ吸収（４０２±２０，４７０±２０，５４０±３０，５８０±３０，６２３±２０ｎｍ）に対応する波長で、１−１０００ｍＷ／ｃｍ２の電力密度と０．０６−３０Ｊ／ｃｍ２の１日当たり線量に於けるのが望ましい。本発明の或る実施例では、そのユーザーの日周期サイクルの調整を助けるために、朝には、選択された波長、例えば青色光｛又は他の生体刺激光（ｂｉｏｓｔｉｍｕｌａｔｉｎｇ  ｌｉｇｈｔ）｝を有する放射でユーザーの口腔を照射し、夜は、もう１つの波長、例えば、赤色光｛又は鎮静効果（ｓｅｄａｔｉｖｅ  ｅｆｆｅｃｔ）を有する光｝で該口腔を照射するため使われ得る光放射歯ブラシが提供されている。
【０１００】
赤血球の正常な又は病理学的衰退（ｐａｔｈｏｌｏｇｉｃａｌ  ｄｅｃａｙ）により血流中に表れる、血液の代謝成分（ｍｅｔａｂｏｌｉｃ  ｃｏｍｐｏｎｅｎｔｓ）、特にビリルビン、の制御された破壊は、ビリルビン血症（ｂｉｌｉｒｕｂｉｎｅｍｉａ）の様な疾病の予防を可能にする。血管により良く供給された口内粘液と下にある組織との、１−１０００ｍＷ／ｃｍ２の電力密度と０．０６−３０Ｊ／ｃｍ２の１日当たり線量を用いた、４５０−４６０ｎｍでの、光照射が好ましい。
【０１０１】
エイエルエイ（ＡＬＡ）、ヘマトポルフィリン（ｈｅｍａｔｏｐｏｒｐｈｙｒｉｎ）、他の様な適当な光力学的薬剤の、局所的塗布（ｔｏｐｉｃａｌ  ａｐｐｌｉｃａｔｉｏｎ）（例えば、口内粘膜）又は静脈内注射（ｉｎｔｒａｖｅｎｏｕｓ  ｉｎｊｅｃｔｉｏｎ）による、光力学的効果を介した血液微小循環システム内のウイルスの殺菌。この治療用
に、血管により良く供給された口内粘液及び下にある組織の光照射は、好ましくは、使われる光力学的薬剤の吸収スペクトルに対応した波長で、１−１０００ｍＷ／ｃｍ２の電力密度と０．０６−３０Ｊ／ｃｍ２の１日当たり線量であるのがよい。エイエルエイ（ＡＬＡ）塗布用では、これらの波長はプロトポルフィリンＩＸの吸収バンド（４０９±２０，５０３±２０，５３８±２０，５５５±２０，５７６±２０，６００±２０，６３２±２０ｎｍ）に対応するが、一方ヘマトポルフィリン誘導体（Ｈｅｍａｔｏｐｏｒｐｈｙｒｉｎ  ｄｅｒｉｖａｔｉｖｅｓ）｛エイチピーデー（ＨＰＤ）｝用では該波長は６２０±２０ｎｍである。
【０１０２】
唇（ｌｉｐ）の疾病も又、光及び／又は組み合わされた光と熱の作用、で治療される。ポルフィリン、シトクロームそして分子性酸素に対応する波長で、１−１０００ｍＷ／ｃｍ２の電力密度と０．０６−３０Ｊ／ｃｍ２の１日当たり線量での口腔組織の照射は、マクロフアージ活動の増大、線維芽細胞増殖、そしてコラーゲン成長の責めを負う基を作る。緑色光（５３０−５８０ｎｍ）と赤色光（６００−６５０ｎｍ）は頬組織を通るよう貫入し、組織ポルフィリンとシトクロームを賦活する。分子性酸素は波長５８０±２０，６３０±２０，７６０±２０、１０６０±２０そして１２６８±２０ｎｍで光活性化される。時間で０．５−３分の手順中の４３℃までの特殊ヒーター（又はＬＥＤ電流加熱）により提供される中位の高熱は、マクロフアージ活動、線維芽細胞増殖、そしてコラーゲン成長のシナージー効果を得るために望ましい。
【０１０３】
薬配送（Ｄｒｕｇ  ｄｅｌｉｖｅｒｙ）。口腔内、特に舌の下の範囲内、の軟組織の照射はその血流内への薬配送の効率を改善する。光学的放射はＮＯ種（ＮＯ  ｓｐｅｃｉｅｓ）を創り、該種は今度は血管を拡張させ、それにより該組織表面に置かれた調薬剤（ｐｈａｒｍａｃｅｕｔｉｃａｌ  ａｇｅｎｔｓ）の吸収速度と効率を高める。１実施例では、薬が舌の下に置かれ、隣接軟組織に向かって光学的放射が向けられた。もう１つのより複雑な薬配送は、不活性状態で口腔組織内に容易に拡散（ｄｉｆｆｕｓｅ）出来る化学療法成分の、放射による原位置賦活（ｉｎ  ｓｉｔｕ  ａｃｔｉｖａｔｉｏｎ）を含む。例えば、不活性形式のこの様な薬剤は患者の口腔組織へ投与され、続いて選択された波長での照射を介する賦活が行われる。
【０１０４】
本発明の器具のもう１つの使用は歯の漂白（ｗｈｉｔｅｎｉｎｇ）と光沢化（ｂｒｉｇｈｔｅｎｉｎｇ）である。全ての現在の歯白化技術は過酸化物（ｐｅｒｏｘｉｄｅｓ）の化学的漂白効果（ｃｈｅｍｉｃａｌ  ｂｌｅａｃｈｉｎｇ  ｓｅｆｆｅｃｔ）に基づく。歯のカラーは取得された周皮（ｐｅｌｌｉｃｌｅ）、エナメル、ぞうげ質（ｄｅｎｔｉｎ）の構造と光学特性により規定される。一般に全てのこれらの要素（ｃｏｍｐｏｎｅｎｔｓ）には汚れた外観（ｓｔａｉｎｅｄ  ａｐｐｅａｒａｎｃｅ）を示すことに責めがある。図３３は歯の中の例示的光分布を示す。３０％以上の光がぞうげ質に達し、３０％以上の光が歯髄に達する。歯の美容的外観（Ｃｏｓｍｅｔｉｃ  ａｐｐｅａｒａｎｃｅ）はエナメル及びぞうげ質からの反射に依る。付帯的（ｅｘｔｒｉｎｓｉｃ）及び／又は本質的（ｉｎｔｒｉｎｓｉｃ）汚れが歯のカラーに帰着する。歯の表面上のタンパク性層（ｐｒｏｔｅｉｎａｃｅｏｕｓ  ｌａｙｅｒ）内に捉えられた又はそれに堅く結ばれた、タンニン（ｔａｎｎｉｎｓ）、他の食料色素、及び煙のポリフエノール成分（ｐｏｌｙ−ｐｈｅｎｏｌｉｃ  ｃｏｍｐｏｎｅｎｔｓ）、の様な化合物が、取得された周皮の付帯的汚れを起こし、典型的には歯ブラシを使って機械的に除去される。歯の自然のカラーは、ぞうげ質と、エナメル−ぞうげ質接合（ｅｎａｍｅｌ−ｄｅｎｔｉｎｅ  ｊｕｎｃｔｉｏｎ）と、の光の散乱及び吸収特性で決まる。老化と共に、ぞうげ質に含まれる、コラーゲンを含む、多くのタンパク質は、分子構造の変化により、もっと黄色気味となる。この様な年齢依存のカラー化は本質的カラー化（ｉｎｔｒｉｎｓｉｃ  ｃｏｌｏｒａｔｉｏｎ）の例である。ヘビースモーカー、コーヒー愛飲者及び赤ワイン愛飲者については、食品カララント（ｆｏｏｄ  ｃｏｌｏｒａｎｔｓ）が歯深部（ｔｏｏｔｈ  ｄｅｐｔｈ）、エナメルそ
してぞうげ質にさえも貫入し、従って、機械的クリーニングにより除去は出来ず、本質的（ｉｎｔｒｉｎｓｉｃ）と考えられるべきである。飲料水中の過剰なフッ素（ｓｕｒｐｌｕｓ  ｆｌｕｏｒｉｎｅ）又はテトラサイクリン（ｔｅｔｒａｃｙｃｌｉｎｅ）の長い使用、により引き起こされる或るシステム的病変（ｓｙｓｔｅｍａｔｉｃ  ｌｅｓｉｏｎ）は本質的カララントの他の例である。本質的歯の汚れを漂白（ｂｌｅａｃｈ）するために、酸化又は酵素応用に基づく、化学的方法が通常使われる。
【０１０５】
本発明の口用器具からの光学的放射の使用は有効な歯の漂白及び光沢化を提供する。光放射歯ブラシ使用の追加的利益は、歯周病、カリエス及び他の口の疾病をユーザーの家庭で同時的に予防及び／又は治療することであり、それは殆どは有効なバクテリア殺菌と傷の治癒に基づいている。
【０１０６】
該口用器具はエナメル及びぞうげ質のカラーセンター漂白の下記の例示的機構に基づく光学的な歯の漂白及び光沢化を提供するが、該機構は、１）短波長（３００−５００ｎｍ）の直接光漂白、２）範囲９６０±２０ｎｍ、及び／又は１２００−１２０００ｎｍ、もっと好ましくは１４５０±１５０ｎｍ、及び／又は１８９０±２５０ｎｍ及び／又は２４００−３２００ｎｍ、９０００−１２０００ｎｍ、の波長の光熱漂白（ｐｈｏｔｏ  ｔｈｅｒｍａｌ  ｂｌｅａｃｈｉｎｇ）用への使用、そして３）５８０±２０，６３０±２０，７６０±２０，１０６０±２０，そして１２６８±２０ｎｍでの組織内酸素による光吸収、及び／又は、内因性及び／又は外部から塗布された光増感剤及び／又は光触媒、への光力学効果により、光増感剤の吸収バンドに対応する３００−９００ｎｍの範囲内の選択波長での光吸収、を使ってのエナメル及びぞうげ質内の直接的な光及び光化学的シングレット酸素生産、である［米国食品医薬品局（ＦＤＡ）は染料、及び／又はカーボンブラック｛移植片（ｇｒａｆｔ）コーポリマー｝、フラーレン（カーボンナノ粒子）、及び／又はチューブレン（ｔｕｂｕｌｅｎｅｓ）（カーボンナノチューブ）、及び／又はＴｉＯ２ナノ粒子を認可した］。
【０１０７】
図３４は歯の構造と、エナメルプリズム（ｅｎａｍｅｌ  ｐｒｉｓｍｓ）とぞうげ管（ｄｅｎｔｉｎａｌ  ｔｕｂｅｓ）の導波路効果によるエナメル及びぞうげ質内の光通路と、を図解する。１側面では、本発明は、ぞうげ質構造及び歯髄内での本質的汚れ（ｉｎｔｒｉｎｓｉｃ  ｓｔａｉｎｓ）を治療するために放射を歯内に深く導くようにこの効果を利用する。或る実施例では、本発明の口用器具はぞうげ質内の汚れを光学的に照射する。本発明の主な利点の１つは歯表面上のみならず、硬組織（エナメル及びぞうげ質）内深くでも、シングレット酸素の様な活性基を作り、従って本質的カララント（ｉｎｔｒｉｎｓｉｃ  ｃｏｌｏｒａｎｔｓ）を効果的に漂白する可能性である。ぞうげ質の導波（ｗａｖｅｇｕｉｄｉｎｇ）｛ホトニック結晶（ｐｈｏｔｏｎｉｃ  ｃｒｙｓｔａｌ）｝構造は光を、有機（コラーゲン）材料で囲まれ、水とぞうげ芽細胞とで充たされた狭いぞうげ細管（ｄｅｎｔｉｎ  ｔｕｂｕｌｅｓ）（直径で１−５μｍ）内に集中する可能性を与える。嵩張る光吸収体を漂白する本発明の特殊な特徴は歯の漂白のみならず、光の大部分の吸収の減少と後方散乱の増加による歯の光沢化を提供する。又、光生体刺激（Ｐｈｏｔｏｂｉｏｓｔｉｍｕｌａｔｉｏｎ）はぞうげ芽細胞と歯髄を狙う放射により新ぞうげ質成長を引き起こすため使われ、それにより深い歯構造の美容的外観を高める。更に、毎日低い線量の放射しか使用しないことは歯の若返り（ｒｅｊｕｖｅｎａｔｉｏｎ）を引き起こし得る。
【０１０８】
もう１つの実施例では、本発明の光学的器具はぞうげ質とエナメル内の汚れを減らすために歯を照射するよう使用され、それにより該歯は漂白され、光沢化される。１実施例では、歯は約３００と１３５０ｎｍの間の波長バンド内の放射で光学的的に照射される。該口用器具は又より良きクリーニング用の機械的加振器と光増感剤の電気泳動用電極を有する。加えて、エナメルからの反射される、及び／又は蛍光の光の検出用の光検出器とマイ
クロチップが歯のカラーをモニターするため使われる。
【０１０９】
漂白及び光沢化を容易にするために電気ヒーター、又は約８００ｎｍから上で約１０００００ｎｍ（１００μｍ）までの波長範囲の放射、を用いた加熱が使われる。光学的放射の使用は、それが深い、選択的加熱を可能にするので、特に有利である。適当な波長を選ぶことにより、歯は予め決められた深さまで加熱され、熱的に誘起された漂白と拡散によりカラーセンターは破壊され、エナメルから除去される。該汚れは歯から拡散し、唾液又は塩水（もしあれば）中に溶解される。好ましい波長範囲は９６０±２０ｎｍ、及び／又は１２００−１０００００ｎｍ、より好ましくは１４５０±１５０ｎｍ、及び／又は１８９０±２５０ｎｍ及び／又は２４００−３２００ｎｍを含む。
【０１１０】
又、本発明の口用器具は本質的光吸収器のみを用いて歯を直接光漂白することも出来る。代わりに上記で論じた外因性発色団が歯の漂白及び光沢化の効果を改善するため使われる。該発色団（及び他の治療薬剤）は歯に塗布され、次いで該歯は照射される。
【０１１１】
茶、コーヒー又は赤ワインの作用により引き起こされる外的色素（ｆｏｒｅｉｇｎ  ｐｉｇｍｅｎｔｓ）の漂白作用についてエムビー（ＭＢ）及び赤色光照射の効率の直接的実験モデル化（Ｄｉｒｅｃｔ  ｅｘｐｅｒｉｍｅｎｔａｌ  ｍｏｄｅｌｉｎｇ）が行われた。適当なモデルとして、義歯装具（ｄｅｎｔｕｒｅ  ｐｒｏｓｔｈｅｓｉｓ）用に使われるアクリルのプラスチック材料が選ばれた。厚さ３ｍｍのスラブ（ｓｌａｂ）が使われた。スラブの汚し方は茶、コーヒー又は赤ワインの滴下により行われ，それに１−２時間の該サンプルの自然乾燥が続いた。該サンプルが絶対的な乾燥はされるべきでなく、幾らか湿り気が残っているべきことは光漂白（ｐｈｏｔｏｂｌｅａｃｈｉｎｇ）用に重要である。
【０１１２】
速い準備期間を提供するもっと簡単なモデルは高品質の白いペーパーの使用に基づく。この様なモデルについては、茶、コーヒー又は赤ワインの溶液の数滴が数分の塗布用に充分である。汚れた歯の説明した実験モデルの準備の後、光漂白実験が行われた。最初に、該汚れたサンプルは数分間１％エムビー（ＭＢ）染料溶液を含浸（ｉｍｐｒｅｇｎａｔｅｄ）された。この様なサンプルの後方反射スペクトルが、光フアイバーＣＣＤグレーティング（ｇｒａｔｉｎｇ）スペクトロメーターエルイーエスエイ（ＬＥＳＡ）−７を使って４００から８００ｎｍの範囲で測定された。これらのスペクトルは光漂白されるサンプル用のベースラインとして役立った。光漂白されるサンプルは２０ｍＷ／ｃｍ２の電力密度を提供するヘリウム−ネオンレーザー（６３３ｎｍ）により１０分間照射を受けた。
【０１１３】
コーヒー汚れ用の結果は図３５と３６に示される。照射前に受けたスペクトルは４５０ｎｍの最大を有するコーヒーと６５０ｎｍ付近の２つの最大を有するエムビーの吸収バンドを示す。１０分のレーザー照射の後、スペクトルは劇的に変わった。両発色団の光漂白と、かくしてコーヒー抽出物（ｃｏｆｆｅｅ  ｅｘｔｒａｃｔ）とエムビーとによる遙かに少ない吸収により、該スペクトルは可視範囲で約２倍の反射（散乱）を有しスムーズになった。従って、サンプルの漂白と光沢化が起こっている。
【０１１４】
図３６に示す差の見掛けの光学密度（ｏｐｔｉｃａｌ  ｄｅｎｓｉｔｙ）スペクトルは人が光漂白効率（ｐｈｏｔｏｂｌｅａｃｈｉｎｇ  ｅｆｆｉｃｉｅｎｃｙ）を評価することを可能にし、それはコーヒー抽出物とエムビーの吸収バンドについて遙かに大きい。その負の値はモデルの反射が照射下で増加したことを意味する。
【０１１５】
全てのテストされた食品（コーヒー、茶、そして赤ワイン）色素について、同様な結果を受けたことは注意すべきである。又白いペーパーモデルも良く作動し、種々の元の目標汚れを漂白する光増感剤活動の速いテスト用に推奨され得る。
【０１１６】
もう１つの実施例では、ぞうげ質汚れが該汚れの吸収範囲内の直接の光学的放射により選択的に光漂白された。従来の歯の漂白と異なり、本発明はユーザーが、約２８０から約８００ｎｍの範囲内にあるその汚れの吸収スペクトル付近に中心のある波長範囲を選択使用することを可能にする。結果は非常に特定的な波長バンドを伴う漂白及び光沢化となる。
【０１１７】
図３７を参照すると、もう１つの側面では、本発明は、適当な波長の照射により賦活される少なくとも１つの発色団８０と組み合わされる柔軟な薄膜（ｆｌｅｘｉｂｌｅ  ｔｈｉｎ  ｆｉｌｍ）７８として形成された歯漂白ストリップ（ｔｏｏｔｈ−ｗｈｉｔｅｎｉｎｇ  ｓｔｒｉｐ）７６を提供する。該薄膜７８は対象の歯の上にそれを置くことを可能にする程充分柔軟であり、治療セション（ｔｒｅａｔｍｅｎｔ  ｓｅｓｓｉｏｎ）中それの歯との接触を容易にするために当業者に公知の接着剤を有するのが好ましい。当該技術で公知の材料を使うことにより形成される該薄膜７８は約２０から約１５００μｍの範囲、より好ましくは約５０から１０００μｍの範囲、の厚さを有するのがよい。或る実施例では、該薄膜は、可塑剤、例えば、プロピレングリコール又はポリエチレングリコール、をオプションで含むことが出来る重合体のマトリックス（ｐｏｌｙｍｅｒｉｃ  ｍａｔｒｉｘ）、例えば、エチレン酸化物（ｅｔｈｙｌｅｎｅ  ｏｘｉｄｅ）のマトリックスである。好ましくは、非過酸化物発色団（ｎｏｎ−ｐｅｒｏｘｉｄｅ  ｃｈｒｏｍｏｐｈｏｒｅ）であるのがよい該発色団８０は、例えば、歯漂白用に上記で説明した発色団の何れかとすることが出来る。該発色団８０は種々の異なる方法で薄膜７８内に組み入れられる。例えば、それは該フイルムの重合体のマトリックス内に分散されるか、又は膜面上の薄い層として配置されてもよい。
【０１１８】
本発明のもう１つの側面で生体刺激的及び／又は歯科的光線療法は光線療法放射の既知電力密度に正常に応ずる状態について開示される（１−３０日を隔て１−１０回治療）。しかしながら、本発明では１連の暫定的に間を隔てた治療セションが患者に供給され、そこでは各セションは従来のプロトコルで状態を治療するに必要な典型的電力密度より低い電力密度の療法的放射が提供される。該方法は、光線療法的放射の既知電力密度の口への適用に正常に応答する条件を選択する過程と、患者に１連の暫定的に隔てられた治療セションを供給する過程とを具備する。各セションは患者状態を治療するに必要な典型的電力密度より低い電力密度の療法的放射を提供する。該暫定的に隔てられた治療セションのシリースは、患者の状態が該１連の治療セションの累積効果により改善（ａｍｅｌｉｏｒａｔｅｄ）されるまで続けられる。患者の皮膚面に適用された電力密度は約１ｍＷ／ｃｍ２と約１００Ｗ／ｃｍ２の間にあり、少なくとも治療される状態と放射の波長とに依る。好ましくは、歯又は粘膜面でのエネルギーが１０ｍＷ／ｃｍ２と１０Ｗ／ｃｍ２の間にあるのがよい。該放射は１秒から１時間の持続時間（ｄｕｒａｔｉｏｎ）の間適用される。エネルギーフラックス（ｅｎｅｒｇｙ  ｆｌｕｘ）は１Ｊ／ｃｍ２から１０００Ｊ／ｃｍ２の範囲に、好ましくは約１０Ｊ／ｃｍ２から１００Ｊ／ｃｍ２の範囲にあるのがよい。多くの実施例では、エルイーテービー（ＬＥＴＢ）又はエルイーエムピー（ＬＥＭＰ）の放射範囲は約０．１から約１００ｃｍ２の範囲にあり、送られる電力は約１ｍＷから約１０Ｗの範囲、好ましくは約１０ｍＷから約１Ｗの範囲内にあるのがよい。この電力は、バッテリー程に小さい電源又は壁のプラグの電源を用いる、上記で説明したそれらの様な、高効率の光ソースを使い供給される。
【０１１９】
本発明の開示の光放射器具を形成するために種々の製造技術が使われてよい。例えば、図３８を参照すると、該複数の光放射ソース１８は当該技術で公知の仕方で、基盤７４、例えば、ＧａＡｓ基盤上にエピタキシアル式（ｅｐｉｔａｘｉａｌｌｙ）に形成されてもよい。例えば、各光ソースは、１つ以上の望まれる波長バンド内の放射を発生するようその組成が当該技術で公知の仕方で選択される、繰り返しユニット（ｒｅｐｅａｔ  ｕｎｉ
ｔｓ）を有する半導体ヘテロ構造（ｓｅｍｉｃｏｎｄｕｃｔｏｒ  ｈｅｔｅｒｏｓｔｒｕｃｔｕｒｅ）として形成される。ブリスルに実質的に平行な方向に放射を放出する追加の光ソースが同様な仕方で該ウエーハの反対側上に形成される。該ブリスル１４は直接にか、又は仲介の要素を介してか、何れかで該基盤面に結合される。次いで該基盤はブラシヘッド１２の部分内に少なくとも部分的に収容されるが、該ヘッドは該ソースにより発生される放射に実質的に透明な材料で形成されるのが好ましい。又該ブラシヘッドを形成する材料は、該放射ソースの冷却を容易にするために好ましくは高熱伝導性を示すのがよい。ＬＥＤ構造体は個別ＬＥＤの２次元マトリックスか、又はダイオードレーザーバーと同様なＬＥＤの１次元バーとして該ウエーハからクリーブ（ｃｌｅａｖｅｄ）される。もう１つの実施例では、ブリスルのバンドルは個別活性ブリスル（ｉｎｄｉｖｉｄｕａｌ  ａｃｔｉｖｅ  ｂｒｉｓｔｌｅｓ）から形成されてもよい。
【０１２０】
ここで開示した光放射口用器具のもう１つの実施例では、該器具内に配置された熱伝達要素が廃棄熱（ｗａｓｔｅ  ｈｅａｔ）の除去の面で助ける。上記で説明しＬＥＤ、レーザーダイオード又はマイクロランプ（ｍｉｃｒｏｌａｍｐ）の様な放射ソースは過剰な熱エネルギーを発生する。或る場合、該放射ソースにより発生される熱は発生される光学的エネルギーより２０倍までも高い。望まれない廃棄熱に適合するために、光放射口用器具は熱を該放射ソースからヒートシンク（ｈｅａｔ  ｓｉｎｋ）へ伝達する熱伝達機構（ｈｅａｔ  ｔｒａｎｓｆｅｒ  ｍｅｃｈａｎｉｓｍ）を有する。
【０１２１】
１側面では、廃棄熱は熱伝導材料の使用で伝達される。例えば、該光放射歯ブラシのヘッド部分１２は該放射ソースにより発生された熱を放散するために、少なくとも部分的には熱伝導材料で形成される。図２Ｂはヘッドフレーム（ｈｅａｄ  ｆｒａｍｅ）３８を有するヘッド部分１２を図解するが、該フレームは高い熱伝導率及び／又は良好なヒートキャパシタンス（ｈｅａｔ  ｃａｐａｃｉｔａｎｃｅ）を有する材料で作られ、それから熱を抽出するため放射ソース１８に熱的に結合されている。該フレームは外部環境（ｅｘｔｅｒｎａｌ  ｅｎｖｉｒｏｎｍｅｎｔ）への熱の配送のため該デバイスの外面まで延ばされている。例えば、熱はユーザーの口腔へ伝達される（例えば、該熱伝導材料は該歯ブラシの使用時、唾液又は組織に接触することが出来る）。
【０１２２】
当業者は、その口用アップリケーター、そして特に熱伝達要素が、例えば、アルミニウム、銅、又はそれらの合金を含む金属、セラミック、そしてカーボンフアイバー（ｃａｒｂｏｎ  ｆｉｂｅｒ）の様な高い熱伝導性の部品を有するプラスチックの様な複合材料（ｃｏｍｐｏｓｉｔｅ  ｍａｔｅｒｉａｌｓ）、の様な熱伝達を可能にする（又は促進する）種々の材料を含むことが出来ることを評価するであろう。１実施例では、該光放射歯ブラシ又は光放射マウスピースは、熱を放射ソースから口用器具に接触する組織及び／又は唾液へ導くよう適合された材料を有する。１実施例では、その伝達された熱は、口の組織、及び／又は該口の組織の部分に塗布されたペースト、を穏やか（ｇｅｎｔｌｙ）に加熱することにより追加的又は向上した治療効果を提供する。
【０１２３】
本発明のもう１つの側面では、熱は該光放射歯ブラシのヘッド部分、に沿い又はそれを通して、ハンドル部分へ伝達され、周囲環境、例えば、操作者の手、の中へ放散される。図５は本発明の１実施例の光放射歯ブラシを略図で図解するが、それはヘッド部分１２，ハンドル部分１６，そして該ヘッド部分内に組み込まれた少なくとも１つの放射ソース１８を有する。例えば、高熱伝導率を有する材料で作られた、ヒートパイプの様な、例えば、細長い要素の形の、熱伝達要素１９は、該ソースにより発生された熱を該ハンドルに伝達するため、１端で該放射ソースに、もう１端で該ハンドル部分に、熱的に結合される。該熱伝達要素が結合される該ハンドル部分は、環境（例えば、ユーザーの手）への熱伝達を実現するためにコルゲート化した表面（ｃｏｒｒｕｇａｔｅｄ  ｓｕｒｆａｃｅ）を有してもよい。
【０１２４】
図６を参照すると、もう１つの実施例では、該光線療法の口用器具は放射ソースにより発生された熱をデバイス内のリザーバー７２へ伝達する熱伝達要素７０を有する。該リザーバーは、例えば、液体から気体へ又は固体から液体へ、その相を変え、それによりその熱を蓄積するため、熱を吸収する、例えば、氷、ワックス、又は他の適当な材料の様な、相転移材料（ｐｈａｓｅ  ｔｒａｎｓｆｅｒ  ｍａｔｅｒｉａｌ）を有する。好ましくは、該相転移材料は約３０から５０℃の範囲内に溶融又は気化温度（ｍｅｌｔｉｎｇ  ｏｒ
ｅｖａｐｏｒａｔｉｏｎ  ｔｍｐｅｒａｔｕｒｅ）を有するのがよい。
【０１２５】
もう１つの側面では、光放射歯ブラシは熱伝達の面で助けるポンプを有する。図３９及び４０は光放射口用器具１０，特に歯ブラシを図解するが、該歯ブラシはブリスル１４を有する近位のヘッド１２と、放射ソース１８を備える。１側面では、該近位のヘッドは取り外し可能なので、近位のヘッド１２（ブリスル１４を含めて）は周期的に換えられる。
【０１２６】
歯ブラシ１０は放射ソースを有する上記説明の口用器具の種々の特徴を有する。１つの例示的実施例では、該放射ソース１８は約０．１から１０ｍＷの範囲の光学的電力（ｏｐｔｉｃａｌ  ｐｏｗｅｒ）を発生することが出来て、該ＬＥＤの放出スペクトルは約２００から３０００ｎｍの範囲にある。
【０１２７】
歯ブラシ１０のボデイ１６は冷却ポンプ２００｛例えば、スクリューポンプ（ｓｃｒｅｗ  ｐｕｍｐ）｝を有し、該ポンプは放射ソース１８からもう１つの場所への熱の伝達用に、流体通路２０１に沿って冷却剤（ｃｏｏｌａｎｔ）２０２｛例えば、冷却流体（ｃｏｏｌｎｇ  ｆｌｕｉｄ）、ペースト、スラリー（ｓｌｕｒｒｙ）他｝を駆動する。放射ソース１８から冷却剤２０２への廃棄熱の移転で助けるために、ヘッド１２は又流体通路２０１と放射ソース１８の間に配置され、それらと熱的に接触する熱スプレッダー（ｈｅａｔ  ｓｐｒｅａｄｅｒ）２０３（例えば、熱交換器）を有する。歯ブラシ１０は又冷却用キャパシター（ｃｏｏｌｉｎｇ  ｃａｐａｃｉｔｏｒ）２０４、冷却剤リザーバー２０５，該ポンプ駆動用のモーター２０６及びシャフト２０７、制御電子機器２０８，そして該ポンプへの給電用バッテリー２０９を有する。
【０１２８】
冷却用ポンプ２００は冷却剤２０２を該歯ブラシの冷却剤リザーバー２０５から放射ソース１８へ移転させる。１実施例では、該冷却剤は閉ループシステム（ｃｌｏｓｅｄ  ｌｏｏｐ  ｓｙｓｔｅｍ）内を進み、ポンプ２００は冷却剤リザーバー２０５と該放射ソース１８（又は該放射ソースに隣接する点）の間のループ内で該冷却剤にポンプ作用する。該ループは冷却剤リザーバー２０５から、ポンプ２００を通り、放射ソース１８へ、そして該冷却剤リザーバーへ戻る流体通路（ｆｌｕｉｄ  ｐａｔｈｗａｙ）を規定する。
【０１２９】
該閉ループシステムからの熱の除去を助けるために、該流体通路は冷却用キャパシター２０４と熱的に接触している。例えば、冷却剤リザーバー２０５は冷却用キャパシター２０４に隣接して配置され、該冷却用キャパシターへ熱を移転するよう適合されている。廃棄熱は次いで該放射ソースから、該冷却用流体を経由して、該冷却用キャパシターへ行く。
【０１３０】
冷却用キャパシター２０４は廃棄熱を受け取りそして／又は配分するヒートシンク（ｈｅａｔ  ｓｉｎｋ）を提供する。１実施例では、該冷却用キャパシターは熱スプレッダーを有しそして／又は上記で論じた相転移材料（ｐｈａｓｅ−ｃｈａｎｇｅ  ｍａｔｅｒｉａｌ）で充たされてもよい。該相転移材料はその相を変えることにより該冷却剤の熱エネルギーを吸収する（該冷却剤は相変化、例えば、溶融、のための熱を提供する）。例示的相転移材料は約３０℃と５０℃の範囲の温度で相を変化する材料を含む。該冷却用キャパシターは代わりに熱蓄積材料を有し、該材料は、例えば、水、ガラスフアイバー、金属（
複数を含む）又は他の密度の高い材料の様な高い熱蓄積容量（ｈｉｇｈ  ｔｈｅｒｍａｌ
ｓｔｏｒａｇｅ  ｃａｐａｃｉｔｙ）を有する。加えて、冷却用キャパシター２０４は熱をハンドル部分１６及び／又は環境（例えば、ユーザーの手）へ分布させるよう適合している。
【０１３１】
１実施例では、該ポンプはシャフト２０７の外面に配置されたねじ２２０を有するヘリカルポンプ（ｈｅｌｉｃａｌ  ｐｕｍｐ）である。ねじ２２０の回転運動は水を冷却剤リザーバーから近位のヘッド１２の熱スプレッダー２０３へ加圧する。運転時、光ソース１８により作られる熱は熱スプレッダー２０３へ導かれる。過剰な熱は熱スプレッダー２０３から流体通路２０１を通るよう循環する流体へ伝達される。加熱された流体は次いでシャフト２０７内の開口部２２２に流入するが、該シャフトはヘッド１２からハンドル部分１６まで縦軸線に沿って走る内部ルーメン（ｉｎｎｅｒ  ｌｕｍｅｎ）を有する。該加熱水はシャフト２０７を通るよう流れ、シャフト２０７の内部から、冷却用キャパシター２０４に隣接して配置される孔２２４を通るよう押し出される。この点で該加熱水は方向を逆転し、そして冷却用キャパシター（及び付随熱スプレッダー）に沿って流れ、該流体から冷却用キャパシター２０４へ熱をもっと効率よく伝達する。水は次いでシャフト２０７の外部付近を冷却剤リザーバー２０５内へ戻るよう流れる。
【０１３２】
水が閉じた冷却システムから外へ流れるのを防止するため、該冷却システムは、例えば、冷却用キャパシター２０４とモーター２０６の間のシール２２８を用いるのを含め、適切にシールされている。加えて、近位のヘッド１２が取り外し可能（ｄｅｔａｃｈａｂｌｅ）な所では、歯ブラシ１０は合理的な流体通路を有する。ヘッド部分１２とボデイ１６の間の接合（ｊｕｎｃｔｉｏｎ）も歯ブラシを漏れから防止するようシールされている。例えば、これは、相互にスナップ（ｓｎａｐｓ）し、冷却システムを有効にシールする、ヘッド及びネック部分間の嵌合（ｆｉｔ）を設計することにより達成される。
【０１３３】
代わりの実施例では、冷却ポンプ２００は開ループ（ｏｐｅｎ  ｌｏｏｐ）システムで動作し、該システムでは冷却剤は１回以上の使用後該、光放射器具から捨てられる（ｄｉｓｃａｒｄｅｄ）。例えば、冷却剤はヘッド部分１２へ汲み上げられ、１つ以上のノズル（示されてない）を経由して該歯ブラシから出る。該冷却剤がヘッド部分１２を通って進む時、それは放射ソース１８から廃棄熱を吸収し、該熱を周囲環境（例えば、ユーザーの口腔）内へ運ぶ。該開ループシステムで使われる冷却剤は、例えば、生体適合性材料を含むが、該材料は好ましくは高熱容量を有するのがよい。１例示的実施例では、該冷却剤は相転移材料で充たされた浮遊マイクロカプセル（ｓｕｓｐｅｎｄｅｄ  ｍｉｃｒｏｃａｐｓｕｌｓ）を有する。該冷却剤は追加的に又は代わりに口用治療剤を含むことが出来る。例えば、該冷却剤は歯磨きペースト又はフッ素化物（ｆｌｕｏｒｉｄｅ）を含む溶液であってもよい。ポンプは歯磨きペーストを、歯ブラシヘッドに提供されたノズルを通り、治療範囲へ推進する。該歯磨きペースト配送の速度は、該歯磨きペーストが、快適な感覚（ｃｏｍｆｏｒｔｉｎｇ  ｓｅｎｓａｔｉｏｎ）を提供し、そして／又は、歯磨きペーストの治療効果を高めるべき望ましい温度レベルまで加熱されるよう、設計される。
【０１３４】
開ループシステム内の冷却剤のソースは光放射歯ブラシの外部である。例えば、冷却用ポンプ２００は水を該光放射歯ブラシのハンドル部分１６内へ引き、それをヘッド部分１２を通るよう押し出す（ｅｘｐｅｌ）。代わりに、該開ループ冷却剤は該光放射歯ブラシ内に蓄積される。例えば、該歯ブラシは冷却剤を込められた使い捨てカートリッジを有してもよい（例えば、歯磨きペーストカートリッジ）。
【０１３５】
もう１つの側面では、開ループシステムの冷却剤はヘッド部分１２の他の該デバイスの部分を通り該流体通路を出ることも出来る。例えば、該冷却剤は１回以上使われ、次いで該光放射口用器具のハンドル部分の流体出口（ｆｌｕｉｄ  ｅｇｒｅｓｓ）を開くことに
より空にされてもよい。
【０１３６】
該冷却剤を汲むため使われる冷却用ポンプは歯ブラシハンドル部分１６内に配置されることが出来る既知の種類のポンプを有してもよい。１つのこの様な例示的ポンプは図３９に示す電気スクリューポンプ（ｅｌｅｃｔｒｉｃ  ｓｃｒｅｗ  ｐｕｍｐ）である。当業者は種々のポンプが代わりに使われることを評価するであろう。
【０１３７】
１実施例では、該スクリューポンプは振動するよう適合されてもよい。例えば、該ポンプシャフトは、シャフト２０７の回転時、歯ブラシを振動させる偏心（ｅｃｃｅｎｔｒｉｃｉｔｙ）を具備してもよい。該振動は該ヘッド部分１２へ進み、歯のクリーニングを助けそして／又は口の組織をマッサージする。
【０１３８】
熱伝達要素の上記で論じた例の幾つかは光放射歯ブラシを参照して行われたが、当業者は該熱伝達要素（冷却用ポンプ２００を含む）がここで説明した口用器具の何れでも使われる得ることを評価するであろう。特に、これらの熱伝達要素は該光放射マウスピース内の放射ソースから、隣接組織、ハンドル、及び／又は周囲環境への、熱の蓄積又は伝達を提供する。
【０１３９】
上記説明の冷却の特徴に加えて、又は１つの代替えとして、該口用器具は過熱（ｏｖｅｒｈｅａｔｉｎｇ）に対して保護する自動シャットオフ（ａｕｔｏ−ｓｈｕｔｏｆｆ）の特徴を有することが出来る。例えば、感熱スイッチ（ｔｈｅｒｍａｌ  ｓｗｉｔｃｈ）（示されてない）が上記説明の口用器具の部分と熱的に接触して設置されてもよい。例示的場所（ｌｏｃａｔｉｏｎｓ）は、流体通路、ヒートシンク、放射ソース、デバイスフレーム、そしてそれらの組み合わせ、と熱的に接触する場所である。運転時の該デバイスの過熱を防止するため、感熱スイッチは該温度をモニターし、もし過大な温度（ｅｘｃｅｓｓ
ｔｅｍｐｅｒａｔｕｒｅｓ）が検出されたら、放射ソースへの電力をカットする。１実施例では、該スイッチは、もしそれが７０℃以上の温度を検出したなら、該口用アップリケーターへの電力をシャットオフする。代わりに、感熱スイッチは光ソースへの電力のみをカットして、出来るだけ速く過大な温度を減じるために該デバイスは冷却用システムを動作させる電力を供給し続けることが出来る。
【０１４０】
当業者は上記説明の実施例に基づき本発明の特徴と利点を更に評価するであろう。従って、本発明は、付属する請求項に示される所を除き、特に示し説明されたことに限定されない。ここに引用された全ての刊行物と参照物はそれらの全体で引用により明示した形でここに組み入れられる。
【図面の簡単な説明】
【０１４１】
本発明は付属する図面と連携して行われる上記詳細説明からより完全に理解される。
【図１】本発明の光放射歯ブラシを図解する。
【図２Ａ】本発明の光放射歯ブラシのもう１つの実施例を図解する。
【図２Ｂ】図２Ａに示す実施例のもう１つの図である。
【図３】本発明の光放射マウスピースを図解する。
【図４】本発明の光放射マウスピースのもう１つの実施例を図解する。
【図５】本発明の光放射歯ブラシのもう１つの実施例を図解する。
【図６】熱伝達要素を有する光放射歯ブラシのもう１つの実施例を図解する。
【図７】ヒーターを有する光放射歯ブラシのもう１つの実施例を図解する。
【図８】熱伝達用に形作られたヘッドフレームを有する光放射歯ブラシのもう１つの実施例を図解する。
【図９】放射を１方向に向ける光放射歯ブラシのもう１つの実施例を図解する。
【図１０】放射を種々の方向に向ける図９の光放射歯ブラシを図解する。
【図１１】放射を種々の方向に向ける図９の光放射歯ブラシを図解する。
【図１１Ａ】本発明の光放射歯ブラシのもう１つの実施例を図解する。
【図１２】放射を２つ以上の方向に向けることが出来る本発明の光放射歯ブラシを図解する。
【図１３】放射を多方向に向ける本発明の光放射歯ブラシを図解する。
【図１４】図１３の光放射歯ブラシのもう１つの実施例を図解する。
【図１５】図１３の光放射歯ブラシのもう１つの実施例を図解する。
【図１６】図１３の光放射歯ブラシのもう１つの実施例を図解する。
【図１７】図１３の光放射歯ブラシのもう１つの実施例を図解する。
【図１８】放射を舌に向けることが出来る本発明の光放射マウスピースのもう１つの実施例を図解する。
【図１９】歯と頬の間に位置付けられ得る本発明の光放射マウスピースのもう１つの実施例を図解する。
【図２０】放射を口腔の床（ｆｌｏｏｒ  ｏｆ  ｔｈｅ  ｏｒａｌ  ｃａｖｉｔｙ）に送ることが出来る本発明の光放射マウスピースのもう１つの実施例を図解する。
【図２０Ａ】光学的要素を有する本発明の光放射歯ブラシを図解する。
【図２１】活性光学的ブリスルを有する本発明の光放射歯ブラシを図解する。
【図２２】本発明の活性光学的ブリスルを図解する。
【図２３】本発明の活性光学的ブリスルのもう１つの実施例を図解する。
【図２４】本発明の活性光学的ブリスルのなおもう１つの実施例を図解する。
【図２５】本発明の活性光学的ブリスルのなおもう１つの実施例を図解する。
【図２６】本発明の活性光学的ブリスルのなおもう１つの実施例を図解する。
【図２７Ａ】センサーと制御器を有する本発明の光放射歯ブラシのなおもう１つの実施例を図解する。
【図２７Ｂ】図２７Ａの光放射歯ブラシのもう１つの図である。
【図２８】振動機構を有する本発明の光放射歯ブラシのもう１つの実施例を図解する。
【図２９】本発明の光放射歯ブラシのもう１つの実施例を図解する。
【図３０】発電手段を有する本発明の光放射歯ブラシのもう１つの実施例を図解する。
【図３１】反射率対波長のグラフを図解する。
【図３２】光学的カップリング剤のチャートである。
【図３３】光の歯構造体内への進入の略図である。
【図３４】歯のエナメル、ぞうげ質、及び歯髄内への放射の進入を図解する。
【図３５】照射前後の反射率対波長のグラフである。
【図３６】種々の見掛けの光学密度対波長のグラフである。
【図３７】本発明の光放射口用器具で使う歯漂白用ストリップを図解する。
【図３８】本発明の光放射口用器具のもう１つの実施例を図解する。
【図３９】流体ポンプを有する口用器具の１実施例を図解する。
【図４０】図３９で図解された口用器具の近位部分のクローズアップ図を図解する。
【図１】
2008522762.tif 000004
【図２Ａ】
2008522762.tif 000005
【図２Ｂ】
2008522762.tif 000006
【図３】
2008522762.tif 000007
【図４】
2008522762.tif 000008
【図５】
2008522762.tif 000009
【図６】
2008522762.tif 000010
【図７】
2008522762.tif 000011
【図８】
2008522762.tif 000012
【図９】
2008522762.tif 000013
【図１０】
2008522762.tif 000014
【図１１】
2008522762.tif 000015
【図１１Ａ】
2008522762.tif 000016
【図１２】
2008522762.tif 000017
【図１３】
2008522762.tif 000018
【図１４】
2008522762.tif 000019
【図１５】
2008522762.tif 000020
【図１６】
2008522762.tif 000021
【図１７】
2008522762.tif 000022
【図１８】
2008522762.tif 000023
【図１９】
2008522762.tif 000024
【図２０】
2008522762.tif 000025
【図２０Ａ】
2008522762.tif 000026
【図２１】
2008522762.tif 000027
【図２２】
2008522762.tif 000028
【図２３】
2008522762.tif 000029
【図２４】
2008522762.tif 000030
【図２５】
2008522762.tif 000031
【図２６】
2008522762.tif 000032
【図２７Ａ】
2008522762.tif 000033
【図２７Ｂ】
2008522762.tif 000034
【図２８】
2008522762.tif 000035
【図２９】
2008522762.tif 000036
【図３０】
2008522762.tif 000037
【図３１】
2008522762.tif 000038
【図３２】
2008522762.tif 000039
【図３３】
2008522762.tif 000040
【図３４】
2008522762.tif 000041
【図３５】
2008522762.tif 000042
【図３６】
2008522762.tif 000043
【図３７】
2008522762.tif 000044
【図３８】
2008522762.tif 000045
【図３９】
2008522762.tif 000046
【図４０】
2008522762.tif 000047
【国際調査報告】
2008522762.tif 000048
2008522762.tif 000049
2008522762.tif 000050
2008522762.tif 000051